【事件の表示】
　特願２００４−３６０６０１「表示装置及び自動同期判定回路」拒絶査定不服審判事件〔平成１８年　６月２９日出願公開、特開２００６−１７１１２５〕について、次のとおり審決する。
【結　論】
　本件審判の請求は、成り立たない。
【理　由】
１　手続の経緯　
　平成１６年１２月１３日　特許出願　
　平成２１年　８月２１日　拒絶理由通知（同年８月２５日発送）　
　平成２１年１０月２６日　意見書・手続補正書　
　平成２１年１１月２５日　拒絶査定（同年１２月１日送達）　
　平成２２年　３月　１日　本件審判請求・手続補正書　
　平成２３年　３月２４日　審尋（同年３月２９日発送）　
　
（平成２３年３月２４日付け審尋に応答する回答書は提出されなかった。）　
２　平成２２年３月１日付け手続補正の適否　
　平成２２年３月１日付け手続補正（以下「本件補正」という。）は、本件補正前の特許請求の範囲の請求項１、４の削除及び明りようでない記載の釈明を目的とする補正であり、平成１８年法律第５５号改正附則第３条第１項によりなお従前の例によるとされる同法による改正前の特許法第１７条の２第４項第１号、第４号に掲げる事項を目的とするものであるから、本件補正は適法な補正である。　
　
３　本願発明　
　本願の特許請求の範囲の請求項１に係る発明は、本件補正により補正された特許請求の範囲の請求項１に記載された次のとおりのものである。　
　
「各種の外部回路に接続可能な汎用性のあるインターフェイスであって、前記外部回路から供給される同期信号として、垂直同期信号及び水平同期信号が入力、データイネーブル信号が未入力の状態では、前記垂直同期信号及び水平同期信号を表示動作の基準信号と判定し、前記外部回路から供給される同期信号として、前記データイネーブル信号が入力、前記垂直同期信号及び水平同期信号の一方又は双方が入力若しくは未入力の状態では、前記データイネーブル信号を表示動作の基準信号と判定する判定信号を出力する自動同期判定回路と、　
　該自動同期判定回路が、「前記垂直同期信号及び水平同期信号を基準信号」と判定したときは、前記垂直同期信号及び水平同期信号を基準信号として、液晶表示パネルに表示データを表示させる駆動を行い、「前記データイネーブル信号を基準信号」と判定したときは、前記データイネーブル信号を基準信号として、前記液晶表示パネルに表示データを表示させる駆動を行う表示制御部とを有すると共に、　
　前記自動同期判定回路は、前記データイネーブル信号のカウント結果に基づいて、１以上の所定数をカウントしたときは、前記データイネーブル信号を表示動作の前記基準信号と判定し、前記所定数をカウントしていない状態のときは、前記垂直同期信号及び水平同期信号を表示動作の前記基準信号と判定する前記判定信号を出力することを特徴とする表示装置。」（以下「本願発明」という。）　
　
４　引用発明　
４−１　引用文献とその記載事項　
　原査定の拒絶の理由に引用され、本願の出願前に日本国内において頒布された刊行物である特開平１１−３０７０号公報（以下「引用文献」という。）には、以下の事項が図面とともに記載されている。　
　
（ア）　「【発明の詳細な説明】　
【０００１】　
【発明の属する技術分野】本発明は、液晶表示パネルを駆動するドライバを制御して、液晶表示パネルにおける画像データの表示タイミングを制御する液晶表示装置用タイミングコントローラに関する。　
【０００２】　
【従来の技術】図１はＸＧＡ（１０２４×７６８ドット）タイプの従来の液晶表示装置の一例の要部を示す回路図であり、図１中、１０はアクティブマトリクス型の液晶表示パネル、１１は液晶表示パネル１０に形成されているデータバス（信号ライン）を駆動するデータドライバ、１２は液晶表示パネル１０に形成されているゲートバス（走査ライン）を駆動するゲートドライバである。　
【０００３】また、１３は画像データ供給源（図示せず）から供給される垂直同期信号ＶＳＹＮＣ、水平同期信号ＨＳＹＮＣ、クロックＣＬＫ、データイネーブル信号ＥＮＡＢ及び画像データＤＡＴＡを入力し、垂直同期信号ＶＳＹＮＣ及び水平同期信号ＨＳＹＮＣに基づく表示タイミングにより、液晶表示パネル１０における画像データＤＡＴＡの表示タイミングを制御する液晶表示装置用タイミングコントローラである。　
【０００４】なお、この例では、液晶表示装置用タイミングコントローラ１３は、データドライバ１１に対しては、データドライバ用クロックＤ−ＣＬＫと、データドライバ用スタートパルスＤ−ＳＰと、ラッチパルスＬＰと、画像データＤＡＴＡとを供給し、ゲートドライバ１２に対しては、ゲートドライバ用クロックＧ−ＣＬＫ及びゲートドライバ用スタートパルスＧ−ＳＰとを供給するように構成されている。　
【０００５】図２は図１に示す従来の液晶表示装置の水平方向の駆動タイミングを示すタイミングチャートであり、図２Ａは水平同期信号ＨＳＹＮＣ、図２ＢはクロックＣＬＫ、図２Ｃは画像データＤＡＴＡ、図１１Ｄはデータイネーブル信号ＥＮＡＢを示している。なお、Ｔｈは水平周期期間、Ｔｈｐは水平帰線期間、Ｔｈｄは表示有効期間、Ｔｈｂは表示有効期間Ｔｈｄのバックポーチ、Ｔｈｆは表示有効期間Ｔｈｄのフロントポーチである。
【０００６】図３は図１に示す従来の液晶表示装置の垂直方向の駆動タイミングを示すタイミングチャートであり、図３Ａは垂直同期信号ＶＳＹＮＣ、図３Ｂは水平同期信号ＨＳＹＮＣ、図３Ｃは画像データＤＡＴＡ、図３Ｄはデータイネーブル信号ＥＮＡＢを示している。なお、Ｔｖは垂直周期期間、Ｔｖｐは垂直帰線期間、Ｔｖｄは表示有効期間、Ｔｖｂは表示有効期間Ｔｖｄのバックポーチ、Ｔｖｆは表示有効期間Ｔｖｄのフロントポーチである。
【０００７】図４は図１に示す従来の液晶表示装置の１垂直周期期間におけるデータ表示領域とブランク領域との関係を示す図であり、図４中、１５はデータ表示領域、１６はブランク領域を示している。データ表示領域１５は、パネルの画素領域に対応し、データの大きさは画素数に一致する。また、データ表示領域１５とブランク領域１６を合わせたものが実際に液晶表示装置に送られてくるデータ（の大きさ）であり、画像データに加え、表示に関与しないデータ（無効データ：例えば“ＬＯＷ”の信号であり、画像データの供給が無い状態とみなすことができる）も含むものである。　
【０００８】　
【発明が解決しようとする課題】従来の液晶表示装置用タイミングコントローラ１３は、水平方向及び垂直方向のバックポーチＴｈｂ、Ｔｖｂ及びフロントポーチＴｈｆ、Ｔｖｆの設定値を固定とされており、これらバックポーチＴｈｂ、Ｔｖｂ及びフロントポーチＴｈｆ、Ｔｖｆで決定される表示タイミイグで液晶表示パネル１０における画像表示を行うようにデータドライバ１１及びゲートドライバ１２を制御するように構成されている。　
【０００９】したがって、従来の液晶表示装置用タイミングコントローラ１３は、特定の表示タイミングで画像表示を行うとするパーソナルコンピュータ等にのみ対応することができ、表示タイミングを異にするパーソナルコンピュータ等に使用する場合には、表示不良や表示位置ずれを起こしてしまうことになる。図４に示すように、バックポーチＴｈｂ、Ｔｖｂの固定値が最初のライン上であって１０２４クロックの最初のクロックで走査されるデータ表示領域１５の開始画素を正確に示している場合には、データイネーブル信号ＥＮＡＢに同期してデータ有効期間Ｔｈｄ、Ｔｖｄにおいて画像データがデータ表示領域１５に正しく表示される。　
【００１０】バックポーチＴｈｂ、Ｔｖｂの固定値及びフロントポーチＴｈｆ、Ｔｖｆの固定値は、液晶表示装置が搭載される電子装置のタイミング仕様に依存する。例えば、電子装置のタイミング仕様を最初に決め、このタイミング仕様に合うようにバックポーチＴｈｂ、Ｔｖｂの固定値及びフロントポーチＴｈｆ、Ｔｖｆの固定値を決める。又は、バックポーチＴｈｂ、Ｔｖｂの固定値及びフロントポーチＴｈｆ、Ｔｖｆの固定値に合うように、電子装置のタイミング仕様を決める。　
【００１１】もし、バックポーチＴｈｂ、Ｔｖｂの固定値及びフロントポーチＴｈｆ、Ｔｖｆの固定値が電子装置のタイミング仕様に合致しないときには、画像データをデータ表示領域１５に正確に表示することはできない。例えば、画像データは水平及び／又は垂直方向にズレてデータ表示領域１５に表示され、画像の一部が失われてしまう。　
【００１２】よって、タイミングコントローラ１３は、液晶表示装置が搭載される電子装置の種々のタイミング仕様に適用できるものではなく、特定のタイミング仕様のみに適用できる。実際、搭載される電子装置の異なるタイミング仕様に合致するように、タイミングコントローラ１３を個々に設計する必要がある。通常、タイミングコントローラ１３の設計にはかなりの時間（例えば、約１カ月）を要し、量産品出荷までには長期間（例えば、約２カ月）が必要となってしまう。このため、液晶表示装置を備えるパーソナルコンピュータ等、液晶表示装置用タイミングコントローラを必要とする製品の開発を迅速に行うことができないという問題点があった。　
【００１３】本発明は上記従来技術の問題点を解決し、液晶表示装置が搭載される電子装置の種々のタイミング仕様に適用できる液晶表示パネル用のコントローラを提供することを目的とする。」　
　
（イ）　「【００２４】　
【発明の実施の形態】図５は、本発明の一実施例によるタイミングコントローラの構成を示す図である。図示するタイミングコントローラは、図１のタイミングコントローラ１３に置き換わるものである。すなわち、本発明の液晶表示装置は、図５に示すタイミングコントローラ、データドライバ１１、ゲートドライバ１２及び液晶表示パネル１０を具備する。　
【００２５】図５に示すタイミングコントローラは、従来技術のようにバックポーチＴｈｂ、Ｔｖｂの固定値及びフロントポーチＴｈｆ、Ｔｖｆの固定値を用いた表示タイミング制御とは異なる３つの表示タイミング制御モードを有する。第１の表示タイミング制御モードは従来の表示タイミング制御に直接代わるもので、第２及び第３の表示タイミング制御モードは第１のモードのバックアップ又は付加的なものである。すなわち、第２及び第３の表示タイミングモードはオプションモードであり、無くてもよいものである。　
【００２６】図５に示すタイミングコントローラは、Ｄフリップフロップ２０、２２及び２３、ＡＮＤ回路２１、２４、擬似データイネーブル信号作成回路２５、ＮＯＲ回路２６、保護回路２７及びタイミング作成回路３２とを有する。第１の表示タイミング制御モードは概ね、Ｄフリップフロップ２０、ＡＮＤ回路２１及びタイミング作成回路３２とで実現される。第２の表示タイミング制御モードは概ね、Ｄフリップフロップ２３、２３、ＡＮＤ回路２４、擬似データイネーブル信号作成回路２５及びタイミング作成回路３２とを有する。第３の表示タイミング制御モードは概ね、ＮＯＲ回路２６、保護回路２７及びタイミング作成回路３２とを有する。　
【００２７】Ｄフリップフロップは、図示しない外部の画像データ供給源からのクロック信号に同期してデータイネーブル信号ＥＮＡＢをラッチするもので、データイネーブル信号検出器として機能する。データイネーブル信号ＥＮＡＢも同様に、図示しない外部の画像データ供給源で生成されるものである。データイネーブル信号ＥＮＡＢがアクティブになった時に、画像データ供給源で生成された画像データの供給が始まる。後で詳述するように、第１の表示タイミング制御モードはデータイネーブル信号ＥＮＡＢを利用して、表示タイミングを制御する。　
【００２８】ＡＮＤ回路２１は、データイネーブル信号ＥＮＡＢとＤフリップフロップ２０の出力信号ＤＥＴ１とのＡＮＤ演算を行う。データイネーブル信号ＥＮＡＢが画像データ供給源から供給されると、Ｄフリップフロップ２０の出力信号ＤＥＴ１は高電位（Ｈレベル）になる。従って、データイネーブル信号ＥＮＡＢがＡＮＤ回路２１から出力される。データイネーブル信号が供給されない場合には、Ｄフリップフロップ２０の出力信号ＤＥＴ１は低電位（Ｌレベル）であり、ＡＮＤ回路２１の出力はＬレベルである。　
【００２９】Ｄフリップフロップ２２はクロックＣＬＫに同期して水平同期信号ＨＳＹＮＣをラッチするもので、水平同期信号検出器として機能する。Ｄフリップフロップ２３はクロック信号ＣＬＫに同期して垂直同期信号ＶＳＹＮＣをラッチするもので、垂直同期信号検出器として機能する。ＡＮＤ回路２４は、Ｄフリップフロップ２２、２３の出力信号のＡＮＤ演算を行う。Ｄフリップフロップ２２、２３及びＡＮＤ回路２４で、水平／垂直同期信号検出回路を構成する。　
【００３０】水平同期信号ＨＳＹＮＣ及び垂直同期信号ＶＳＹＮＣは、画像データ供給源から供給される。そして、Ｄフリップフロップ２２、２３の出力信号はＨレベルになり、ＡＮＤ回路２４の出力信号ＤＥＴ２はＨレベルになる。ＡＮＤ回路２４の出力信号ＤＥＴ２は、タイミング作成回路３２に与えられる。もし、水平同期信号ＨＳＹＮＣ及び垂直同期信号ＶＳＹＮＣが画像データ供給源から供給されな場合には、Ｄフリップフロップ２２、２３の出力信号はＬレベルであり、ＡＮＤ回路２４の出力はＬレベルになる。　
【００３１】擬似データイネーブル信号作成回路２５は、画像データ供給源からのクロックＣＬＫとＡＮＤ回路２４の出力信号ＤＥＴ２とを受け、ＡＮＤ回路２４の出力信号ＤＥＴ２がＨレベルになった後の所定のタイミングで擬似データイネーブル信号ＥＮＡＢ−Ｄ１を作成する。擬似データイネーブル信号ＥＮＡＢ−Ｄ１は、タイミング作成回路３２に出力される。　
【００３２】ＮＯＲ回路２６はＤフリップフロップ２０の出力信号ＤＥＴ１とＡＮＤ回路２４の出力信号ＤＥＴ２とのＮＯＲ演算を行う。Ｄフリップフロップ２０の出力信号ＤＥＴ１がＨレベルになった場合、即ち、画像データ供給源からデータイネーブル信号ＥＮＡＢが供給された場合、又は、ＡＮＤ回路２４の出力信号ＤＥＴ２がＨレベルになった場合、即ち、画像データ供給源から水平同期信号ＨＳＹＮＣ及び垂直同期信号ＶＳＹＮＣが供給された場合には、ＮＯＲ回路２６の出力信号がＬレベルになる。　
【００３３】これに対して、Ｄフリップフロップ２０の出力信号がＬレベル、ＡＮＤ回路２４の出力信号ＤＥＴ２がＬレベルの場合、即ち、画像データ供給源からデータイネーブル信号ＥＮＡＢ、水平同期信号ＨＳＹＮＣ及び垂直同期信号ＶＳＹＮＣが供給されない場合には、ＮＯＲ回路２６の出力はＨレベルとなる。また、２７は画像データ供給源から供給されるクロックＣＬＫ及びＮＯＲ回路２６の出力を入力して、ＮＯＲ回路２６の出力がＨレベルとされた場合、即ち、画像データ供給源からデータイネーブル信号ＥＮＡＢ、水平同期信号ＨＳＹＮＣ及び垂直同期信号ＶＳＹＮＣが供給されない場合には、擬似データイネーブル信号ＥＮＡＢ−Ｄ２を出力する保護回路である。　
【００３４】図６は、保護回路２７の構成を示す回路図であり、図６中、２９はＮＯＲ回路２６の出力がＨレベルとされた場合、擬似水平同期信号ＨＳＹＮＣ−Ｄを作成して出力する擬似水平同期信号作成回路である。また、３０は擬似水平同期信号作成回路２９が擬似水平同期信号ＨＳＹＮＣ−Ｄを出力したときは、擬似データイネーブル信号ＥＮＡＢ−Ｄ２を作成して出力する擬似データイネーブル信号作成回路である。　
【００３５】また、図５において、３２は液晶表示パネルにおける画像データＤＡＴＡの表示タイミングを制御するタイミング作成回路であり、タイミング作成回路３２には、画像データ供給源から供給される画像データＤＡＴＡと、クロックＣＬＫと、ＡＮＤ回路２１の出力と、擬似データイネーブル信号生成回路２５の出力と、Ｄフリップフロップ２０の出力と、ＡＮＤ回路２４の出力と、保護回路２７の出力とが供給される。　
【００３６】これに対応して、タイミング作成回路３２は、液晶表示パネルのデータバスを駆動するデータドライバに対しては、データドライバ用クロックＤ−ＣＬＫと、データドライバ用スタートパルスＤ−ＳＰと、ラッチパルスＬＰ及び画像データＤＡＴＡとを供給し、液晶表示パネルのゲートバスを駆動するゲートドライバに対しては、ゲートドライバ用クロックＧ−ＣＬＫと、ゲートドライバ用スタートパルスＧ−ＳＰとを供給するように構成されている。」　
　
（ウ）　「【００３７】図７はＤフリップフロップ２０の出力＝Ｈレベルとなった場合のタイミング作成回路３２の動作を示すタイミングチャートであり、図７Ａは画像データ供給源から供給される垂直同期信号ＶＳＹＮＣと、水平同期信号ＨＳＹＮＣと、データイネーブル信号ＥＮＡＢと、クロックＣＬＫと、画像データＤＡＴＡとを示している。　
【００３８】また、図７Ｂはデータドライバに供給されるデータドライバ用クロックＤ−ＣＬＫと、データドライバ用スタートパルスＤ−ＳＰと、ラッチパルスＬＰと、画像データＤＡＴＡとを示しており、図７Ｃはゲートドライバに供給されるゲートドライバ用クロックＧ−ＣＬＫと、ゲートドライバ用スタートパルスＧ−ＳＰとを示している。　
【００３９】このように、タイミング作成回路３２は、Ｄフリップフロップ２０の出力＝Ｈレベルとなった場合、即ち、画像データ供給源からデータイネーブル信号ＥＮＡＢが供給された場合には、ＡＮＤ回路２１から出力されるデータイネーブル信号ＥＮＡＢに基づく表示タイミングにより液晶表示パネルにおける画像データの表示タイミングを制御できるように、データドライバ用クロックＤ−ＣＬＫ、データドライバ用スタートパルスＤ−ＳＰ、ラッチパルスＬＰ、画像データＤＡＴＡ、ゲートドライバ用クロックＧ−ＣＬＫ及びゲートドライバ用スタートパルスＧ−ＳＰを出力する。　
【００４０】図７に示すように、Ｄフリップフロップ２０の出力信号ＤＥＴ１がＨレベルになると、即ち、データイネーブル信号ＥＮＡＢが画像データ供給源から供給されると、タイミング作成回路３２は同期信号ＶＳＹＮＣ、ＨＳＹＮＣがＬレベルであっても、ＡＮＤ回路２１から供給されるデータイネーブル信号ＥＮＡＢに基づいた表示タイミングを制御する。このタイミング制御は、図２に示す従来の表示タイミング制御とは全く異なる。
【００４１】より詳述すると、データイネーブル信号ＥＮＡＢがＨレベルの間、画像データＤＡＴＡが供給される。図７において、データイネーブル信号ＥＮＡＢの立ち上がりエッジ＊１は、表示パネル１０の第１ラインに相当する。１フレーム（画面）を構成する各ラインに対し画像データ供給源から供給されている間、データイネーブル信号ＥＮＡＢはＨレベルに保持される。　
【００４２】データイネーブル信号の立ち上がりエッジ＊１に応答して、データドライバ用スタートパルスＤ−ＳＰはタイミング作成回路３２によって生成され、データドライバ１１に出力される。更に、データイネーブル信号ＥＮＡＢの立ち上がりエッジ＊１に応答して、ゲートドライバ用スタートパスルＧ−ＳＰがタイミング作成回路３２によって作成され、ゲートドライバ１２に出力される。ゲートドライバ用スタートパルスＧ−ＳＰは、第１ラインの間、Ｈレベルに保持される。従ってゲートドライバ用スタートパルスＤ−ＳＰは、第２ラインを示すデータイネーブル信号ＥＮＡＢの立ち上がりエッジ＊２に応答して、Ｌレベルになる。　
【００４３】更に、後述するように、データイネーブル信号ＥＮＡＢを参照して、ラッチパルスＬＰ及びゲートドライバ用クロックＧ−ＣＬＫがタイミング作成回路３２によって作成される。更に、後述するように、タイミング作成回路３２によって、クロックＣＬＫからデータドライバ用クロックＤ−ＣＬＫが作成される。上述したように、データイネーブル信号ＥＮＡＢのみを検出することで、最初に走査される表示パネル１０の第１番目の画素から確実に画像データＤＡＴＡを表示することができる。上記制御は、第１の表示タイミング制御モードに相当する。　
【００４４】ここに、図８は画像データ供給源から供給される垂直同期信号ＶＳＹＮＣと、水平同期信号ＨＳＹＮＣと、データイネーブル信号ＥＮＡＢと、クロックＣＬＫと、画像データＤＡＴＡとを示している。また、図９Ａは画像データ供給源から供給される水平同期信号ＨＳＹＮＣと、クロックＣＬＫと、画像データＤＡＴＡとを示しており、図９Ｂは擬似データイネーブル信号作成回路２５から出力される擬似データイネーブル信号ＥＮＡＢ−Ｄ１を示している。　
【００４５】また、図９Ｃはデータドライバに供給されるデータドライバ用クロックＤ−ＣＬＫと、データドライバ用スタートパルスＤ−ＳＰと、ラッチパルスＬＰと、画像データＤＡＴＡとを示しており、図９Ｄはゲートドライバに供給されるゲートドライバ用クロックＧ−ＣＬＫと、ゲートドライバ用スタートパルスＧ−ＳＰとを示している。　
【００４６】このように、タイミング作成回路３２は、Ｄフリップフロップ２０の出力＝Ｌレベルが維持され、ＡＮＤ回路２４の出力＝Ｈレベルとなった場合、即ち、画像データ供給源からデータイネーブル信号ＥＮＡＢが供給されず、水平同期信号ＨＳＹＮＣ及び垂直同期信号ＶＳＹＮＣが供給された場合には、擬似データイネーブル信号ＥＮＡＢ−Ｄ１に基づく表示タイミングにより液晶表示パネルにおける画像データの表示タイミングを制御できるように、データドライバ用クロックＤ−ＣＬＫ、データドライバ用スタートパルスＤ−ＳＰ、ラッチパルスＬＰ、画像データＤＡＴＡ、ゲートドライバ用クロックＧ−ＣＬＫ及びゲートドライバ用スタートパルスＧ−ＳＰを出力する。　
【００４７】例えば画像データ供給源に障害が発生し、画像データＤＡＴＡは供給されているものの、データイネーブル信号ＥＮＡＢの供給が停止してしまった場合、上記第１の表示タイミング制御モードでは画像データＤＡＴＡを表示することはできない。このような場合には、擬似データイネーブル信号ＥＮＡＢ−Ｄ１を用いる。この擬似データイネーブル信号ＥＮＡＢ−Ｄ１は、ＡＮＤ回路２４の出力信号ＤＥＴ２がＨレベルになった後の所定のタイミングで作成される。従って、擬似データイネーブル信号ＥＮＡＢ−Ｄ１は画像データＤＡＴＡに同期しておらず、画像データＤＡＴＡは液晶表示パネル１０上でずれてしまう可能性がある。しかしながら、第２の表示タイミング制御モードは、データイネーブル信号ＥＮＡＢの供給が障害により停止してしまった場合のバックアップモードとして機能する。　
【００４８】また、擬似データイネーブル信号ＥＮＡＢ−Ｄ１が画像データＤＡＴＡに同期するように前述のバックポーチＴｈｂ、Ｔｖｂ、Ｔｈｆ、Ｔｖｆを決めれば、第２の表示タイミング制御モードは従来と同様に特定のタイミング仕様に合致したものとなる。更に、第２の表示タイミング制御モードは、水平同期信号ＨＳＹＮＣ及び垂直同期信号ＶＳＹＮＣは供給されるが、データイネーブル信号ＥＮＡＢは供給されないタイミング仕様にも適用できる。」　
　
（エ）　「【００４９】また、図１０及び図１１は、Ｄフリップフロップ２０の出力＝Ｌレベル、ＡＮＤ回路２４の出力＝Ｌレベルが維持された場合のタイミング作成回路３２の動作（第３の表示タイミング制御）を示すタイミングチャートである。ここに、図１０は画像データ供給源から供給される垂直同期信号ＶＳＹＮＣと、水平同期信号ＨＳＹＮＣと、データイネーブル信号ＥＮＡＢと、クロックＣＬＫと、画像データＤＡＴＡとを示している。　
【００５０】また、図１１Ａは擬似水平同期信号作成回路２９から出力される擬似水平同期信号ＨＳＹＮＣ−Ｄと、擬似データイネーブル信号作成回路３０から出力される擬似データイネーブル信号ＥＮＡＢ−Ｄ２と、画像データ供給源から供給されるクロックＣＬＫとを示している。また、図１１Ｂはデータドライバに供給されるデータドライバ用クロックＤ−ＣＬＫと、データドライバ用スタートパルスＤ−ＳＰと、ラッチパルスＬＰと、画像データＤＡＴＡとを示しており、図１１Ｃはゲートドライバに供給されるゲートドライバ用クロックＧ−ＣＬＫと、ゲートドライバ用スタートパルスＧ−ＳＰとを示している。
【００５１】このように、タイミング作成回路３２は、Ｄフリップフロップ２０の出力＝Ｌレベル、ＡＮＤ回路２４の出力＝Ｌレベルが維持された場合、即ち、画像データ供給源からデータイネーブル信号ＥＮＡＢ、水平同期信号ＨＳＹＮＣ及び垂直同期信号ＶＳＹＮＣが供給されない場合には、擬似データイネーブル信号ＥＮＡＢ−Ｄ２に基づく表示タイミングにより液晶表示パネルにおける画像データＤＡＴＡの表示タイミングを制御できるように、データドライバ用クロックＤ−ＣＬＫ、データドライバ用スタートパルスＤ−ＳＰ、ラッチパルスＬＰ、画像データＤＡＴＡ、ゲートドライバ用クロックＧ−ＣＬＫ及びゲートドライバ用スタートパルスＧ−ＳＰを出力する。　
【００５２】但し、この場合には、画像データ供給源からは画像データＤＡＴＡが供給されないので、データドライバに対しては、タイミング作成回路３２が作成した画像データＤＡＴＡが供給されることになる。図１２は本発明の一実施形態の動作を示すフローチャートであり、本発明の一実施形態においては、１フレーム期間が開始されるごと（ステップＳＴ１）に、画像データ供給源から供給される同期信号の中からデータイネーブル信号ＥＮＡＢ（ステップＳＴ２）、水平同期信号ＨＳＹＮＣ及び垂直同期信号ＶＳＹＮＣの検出が行われる（ステップＳＴ４）。　
【００５３】ここに、画像データ供給源からデータイネーブル信号ＥＮＡＢが供給された場合には、Ｄフリップフロップ２０の出力＝Ｈレベルとなり、ＡＮＤ回路２１からデータイネーブル信号ＥＮＡＢが出力される。この結果、タイミング作成回路３２においては、Ｄフリップフロップ２０の出力＝Ｈレベルとなったことに基づき、ＡＮＤ回路２１から出力されるデータイネーブル信号ＥＮＡＢに基づく表示タイミングにより液晶表示パネルにおける画像データＤＡＴＡの表示タイミングを制御できるように、データドライバ及びゲートドライバに対する制御が行われる（ステップＳＴ３）。　
【００５４】これに対して、画像データ供給源からデータイネーブル信号ＥＮＡＢが供給されず、水平同期信号ＨＳＹＮＣ及び垂直同期信号ＶＳＹＮＣが供給された場合には、Ｄフリップフロップ２０の出力＝Ｌレベルが維持されると共に、ＡＮＤ回路２４の出力＝Ｈレベルとなり、擬似データイネーブル信号生成回路２５から擬似データイネーブル信号ＥＮＡＢ−Ｄ１が出力される。　
【００５５】この結果、タイミング作成回路３２においては、Ｄフリップフロップ２０の出力＝Ｌレベルが維持されると共に、ＡＮＤ回路２４の出力＝Ｈレベルとなったことに基づき、擬似データイネーブル信号ＥＮＡＢ−Ｄ１に基づく表示タイミングにより液晶表示パネルにおける画像データの表示タイミングを制御できるように、データドライバ及びゲートドライバに対する制御が行われる（ステップＳＴ５）。　
【００５６】また、画像データ供給源からデータイネーブル信号ＥＮＡＢ、水平同期信号ＨＳＹＮＣ及び垂直同期信号ＶＳＹＮＣが供給されない場合には、Ｄフリップフロップ２０の出力レベル＝Ｌレベル、ＡＮＤ回路２４の出力レベル＝Ｌレベルが維持され、ＮＯＲ回路２６の出力＝Ｈレベルとなる。この結果、保護回路２７は、擬似データイネーブル信号ＥＮＡＢ−Ｄ２を出力することになり、タイミング作成回路３２は、擬似データイネーブル信号ＥＮＡＢ−Ｄ２に基づく表示タイミングにより液晶表示パネルにおける画像データＤＡＴＡの表示タイミングを制御できるように、データドライバ及びゲートドライバに対する制御が行われる（ステップＳＴ６）。」　
　
（オ）　「【００６８】以上説明したように、本発明の一実施形態によれば、画像データ供給源からデータイネーブル信号ＥＮＡＢが供給された場合には、データイネーブル信号ＥＮＡＢに基づく表示タイミングにより液晶表示パネルにおける画像データＤＡＴＡの表示タイミングを制御することができる。したがって、液晶表示パネルにおける画像データＤＡＴＡの表示タイミングを水平方向及び垂直方向のバックポーチ、フロントポーチに依存させず、任意のタイミングで行うことができ、表示タイミングを異にする機器ごとに液晶表示装置用タイミングコントローラを設計する必要がないので、液晶表示装置を備えるパーソナルコンピュータ等、液晶表示装置用タイミングコントローラを必要とする製品の開発の迅速化を図ることができる。　
【００６９】また、本発明の一実施形態によれば、画像データ供給源からデータイネーブル信号ＥＮＡＢが供給されず、水平同期信号ＨＳＹＮＣ及び垂直同期信号ＶＳＹＮＣが供給された場合には、水平同期信号ＨＳＹＮＣ及び垂直同期信号ＶＳＹＮＣに基づく表示タイミングにより液晶表示パネルにおける画像データＤＡＴＡの表示タイミングを制御することができる。　
【００７０】したがって、障害等によりデータイネーブル信号ＥＮＡＢが供給されなくても画像データの表示を行えるとともに、従来の液晶表示装置用タイミングコントローラと同様に、水平方向及び垂直方向のバックポーチ、フロントポーチに依存した、特定の表示タイミングでのみ画像表示のタイミングを制御することを希望するユーザの要望に応えることができる。　
【００７１】また、本発明の一実施形態によれば、画像データ供給源からデータイネーブル信号ＥＮＡＢ、水平同期信号ＨＳＹＮＣ及び垂直同期信号ＶＳＹＮＣが供給されない場合においても、液晶表示パネルを交流駆動し、液晶表示パネルの各画素の液晶に直流電圧が印加され続けることを防ぐことができるので、液晶の劣化を抑制し、信頼性の向上を図ることができる。　
【００７２】また、本発明の一実施形態によれば、タイミング作成回路３２は、データイネーブル信号ＥＮＡＢあるいは擬似データイネーブル信号ＥＮＡＢ−Ｄ１あるいは擬似データイネーブル信号ＥＮＡＢ−Ｄ２に基づいて表示タイミングを作成するようにしている。したがって、図１７に示すように、水平方向のブランク領域を水平方向のデータ表示領域の両側に数クロック分、例えば、２クロック分とし、垂直方向のブランク領域を垂直方向のデータ表示領域の上下に数クロック分、例えば、２クロック分とすることができ、従来例の場合よりも短い水平期間及び垂直期間で液晶表示パネルを駆動することができる。」　
　
（カ）　「【図面の簡単な説明】　
【図１】従来の液晶表示装置を示すブロック図である。　
【図２】図１に示す従来の液晶表示装置の水平方向の駆動タイミングを示すタイミングチャートである。　
【図３】図１に示す従来の液晶表示装置の垂直方向の駆動タイミングを示すタイミングチャートである。　
【図４】図１に示す従来の液晶表示装置の１垂直周期期間におけるデータ表示領域とブランク領域との関係を示す図である。　
【図５】本発明の一実施例によるタイミングコントローラを示すブロック図である。　
【図６】図５に示す保護回路２７の構成を示すブロック図である。　
【図７】図５に示すタイミング作成回路３２の動作を示すタイミングチャート（Ｄフリップフロップ２０の出力はハイレベルになった場合）である。　
【図８】図５に示すタイミング作成回路３２の動作を示すタイミングチャート（Ｄフリップフロップ２０の出力がロウレベルで、ＡＮＤ回路２４の出力がハイレベルになった場合）である。　
【図９】図５に示すタイミング作成回路３２の動作を示すタイミングチャート（Ｄフリップフロップ２０の出力がロウレベルに維持され、ＡＮＤ回路２４の出力がハイレベルになった場合）である。　
【図１０】図５に示すタイミング作成回路３２の動作を示すタイミングチャート（Ｄフリップフロップ２０の出力がロウレベルで、ＡＮＤ回路２４の出力がロウレベルに維持された場合）である。　
【図１１】図５に示すタイミング作成回路３２の動作を示すタイミングチャート（Ｄフリップフロップ２０の出力がロウレベルで、ＡＮＤ回路２４の出力がロウレベルに維持された場合）である。　
【図１２】図５に示すタイミングコントローラの動作を示すフローチャートである。　
【図１３】図５に示すタイミング作成回路３２の内部構成を示すブロック図（その１）である。　
【図１４】図５に示すタイミング作成回路３２の内部構成を示すブロック図（その２）である。　
【図１５】図５に示すタイミング作成回路３２の内部構成を示すブロック図（その３）である。　
【図１６】図１５Ｆの動作を示すタイミングチャートである。　
【図１７】本発明の一実施例による１垂直周期期間におけるデータ表示領域とブランク領域との関係を示す図である。　
【符号の説明】　
ＶＳＹＮＣ　垂直同期信号　
ＨＳＹＮＣ　水平同期信号　
ＥＮＡＢ　データイネーブル信号　
ＣＬＫ　クロック　
ＤＡＴＡ　画像データ　
ＥＮＡＢ−Ｄ１　擬似データイネーブル信号　
ＥＮＡＢ−Ｄ２　擬似データイネーブル信号　
Ｄ−ＣＬＫ　データドライバ用クロック　
Ｄ−ＳＰ　データドライバ用スタートパルス　
ＬＰ　ラッチパルス　
Ｇ−ＣＬＫ　ゲートドライバ用クロック　
Ｇ−ＳＰ　ゲートドライバ用スタートパルス」　
　
４−２　記載事項の検討　
４−２−１　記載事項（イ）には「【００２４】【発明の実施の形態】図５は、本発明の一実施例によるタイミングコントローラの構成を示す図である。・・・、本発明の液晶表示装置は、図５に示すタイミングコントローラ、データドライバ１１、ゲートドライバ１２及び液晶表示パネル１０を具備する。」と記載されているから、引用文献には、　
「液晶表示パネルと、　
　データドライバと、　
　ゲートドライバと、　
　タイミングコントローラとを具備する液晶表示装置」　
が開示されている。　
　また、記載事項（ア）には「【０００２】・・・、図１中、１０はアクティブマトリクス型の液晶表示パネル、１１は液晶表示パネル１０に形成されているデータバス（信号ライン）を駆動するデータドライバ、１２は液晶表示パネル１０に形成されているゲートバス（走査ライン）を駆動するゲートドライバである。」と記載されているから、引用文献の「データドライバ」及び「ゲートドライバ」は、それぞれ、　
「液晶表示パネルに形成された信号ラインを駆動するデータドライバ」、　
「液晶表示パネルに形成された走査ラインを駆動するゲートドライバ」　
であることが開示されている。　
　してみると、引用文献には、　
「液晶表示パネルと、　
　前記液晶表示パネルに形成された信号ラインを駆動するデータドライバと、　
　前記液晶表示パネルに形成された走査ラインを駆動するゲートドライバと、　
　タイミングコントローラとを具備する液晶表示装置。」　
が開示されている。　
　
４−２−２　「本発明の一実施例によるタイミングコントローラを示すブロック図」である図５から、引用文献の「タイミングコントローラ」は、　
「Ｄフリップフロップ２０、Ｄフリップフロップ２２、Ｄフリップフロップ２３、ＡＮＤ回路２４、擬似データイネーブル信号作成回路２５、保護回路２７、タイミング作成回路３２を有する」　
ことが看取できる。　
　
４−２−３　記載事項（ア）には、「【０００１】【発明の属する技術分野】本発明は、液晶表示パネルを駆動するドライバを制御して、液晶表示パネルにおける画像データの表示タイミングを制御する液晶表示装置用タイミングコントローラに関する」と記載されており、また、「【０００９】したがって、従来の液晶表示装置用タイミングコントローラ１３は、特定の表示タイミングで画像表示を行うとするパーソナルコンピュータ等にのみ対応することができ、表示タイミングを異にするパーソナルコンピュータ等に使用する場合には、表示不良や表示位置ずれを起こしてしまうことになる。…。【００１２】よって、タイミングコントローラ１３は、液晶表示装置が搭載される電子装置の種々のタイミング仕様に適用できるものではなく、特定のタイミング仕様のみに適用できる。実際、搭載される電子装置の異なるタイミング仕様に合致するように、タイミングコントローラ１３を個々に設計する必要がある。…。【００１３】本発明は上記従来技術の問題点を解決し、液晶表示装置が搭載される電子装置の種々のタイミング仕様に適用できる液晶表示パネル用のコントローラを提供することを目的とする。」と記載されている。ここで、「液晶表示装置が搭載される電子装置の種々のタイミング仕様に適用できる液晶表示パネル用のコントローラを提供する」とは、液晶表示パネル用のコントローラが種々の電子装置に搭載されるところ、種々の電子装置が有する種々のタイミング仕様に適用できる液晶表示パネル用のコントローラを提供するとの意味である。そうすると、上記記載から、引用文献の「タイミングコントローラ」は、
「液晶表示装置が搭載される、種々の電子装置の種々のタイミング仕様に適用できる液晶表示パネル用のタイミングコントローラ」
であることが開示されている。
　そして、記載事項（ア）には「【０００３】また、１３は画像データ供給源（図示せず）から供給される垂直同期信号ＶＳＹＮＣ、水平同期信号ＨＳＹＮＣ、クロックＣＬＫ、データイネーブル信号ＥＮＡＢ及び画像データＤＡＴＡを入力し、垂直同期信号ＶＳＹＮＣ及び水平同期信号ＨＳＹＮＣに基づく表示タイミングにより、液晶表示パネル１０における画像データＤＡＴＡの表示タイミングを制御する液晶表示装置用タイミングコントローラである。」と記載されており、液晶表示装置が搭載される、種々の電子装置の種々のタイミング仕様は「画像データ供給源が供給する」ものといえる。
　してみると、引用文献には、　
「液晶表示装置が搭載される、種々の電子装置の画像データ供給源が供給する種々のタイミング仕様に適用できる液晶表示パネル用のタイミングコントローラ」　
が開示されている。　
　
４−２−４　記載事項（イ）には、「【００２７】Ｄフリップフロップは、図示しない外部の画像データ供給源からのクロック信号に同期してデータイネーブル信号ＥＮＡＢをラッチするもので、データイネーブル信号検出器として機能する。・・・。　
【００２８】・・・。データイネーブル信号ＥＮＡＢが画像データ供給源から供給されると、Ｄフリップフロップ２０の出力信号ＤＥＴ１は高電位（Ｈレベル）になる。・・・。データイネーブル信号が供給されない場合には、Ｄフリップフロップ２０の出力信号ＤＥＴ１は低電位（Ｌレベル）であり、・・・。」と記載されているから、引用文献の「Ｄフリップフロップ２０」は、　
「画像データ供給源からデータイネーブル信号ＥＮＡＢとクロックＣＬＫを入力して前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力することで、データイネーブル信号検出器として機能するＤフリップフロップ２０」　
であることが開示されている。　
　
４−２−５　「本発明の一実施例によるタイミングコントローラを示すブロック図」である図５及び記載事項（イ）の「【００２９】Ｄフリップフロップ２２はクロックＣＬＫに同期して水平同期信号ＨＳＹＮＣをラッチするもので、水平同期信号検出器として機能する。Ｄフリップフロップ２３はクロック信号ＣＬＫに同期して垂直同期信号ＶＳＹＮＣをラッチするもので、垂直同期信号検出器として機能する。・・・。【００３０】水平同期信号ＨＳＹＮＣ及び垂直同期信号ＶＳＹＮＣは、画像データ供給源から供給される。そして、Ｄフリップフロップ２２、２３の出力信号はＨレベルになり、ＡＮＤ回路２４の出力信号ＤＥＴ２はＨレベルになる。・・・。もし、水平同期信号ＨＳＹＮＣ及び垂直同期信号ＶＳＹＮＣが画像データ供給源から供給されな場合には、Ｄフリップフロップ２２、２３の出力信号はＬレベルであり、ＡＮＤ回路２４の出力はＬレベルになる。」との記載から、引用文献の「Ｄフリップフロップ２２」及び「Ｄフリップフロップ２３」は、それぞれ、
「画像データ供給源から水平同期信号ＨＳＹＮＣとクロックＣＬＫを入力して前記水平同期信号ＨＳＹＮＣを前記クロックＣＬＫに同期してラッチし、前記水平同期信号ＨＳＹＮＣが供給される場合はＨレベル、前記水平同期信号ＨＳＹＮＣが供給されない場合はＬレベルの出力信号を出力することで、水平同期信号検出器として機能するＤフリップフロップ２２」、　
「画像データ供給源から垂直同期信号ＶＳＹＮＣとクロックＣＬＫを入力して前記垂直同期信号ＶＳＹＮＣを前記クロックＣＬＫに同期してラッチし、前記垂直同期信号ＶＳＹＮＣが供給される場合はＨレベル、前記垂直同期信号ＶＳＹＮＣが供給されない場合はＬレベルの出力信号を出力することで、垂直同期信号検出器として機能するＤフリップフロップ２３」　
であることが開示されている。　
　
４−２−６　「本発明の一実施例によるタイミングコントローラを示すブロック図」である図５及び記載事項（イ）の「【００２９】・・・。ＡＮＤ回路２４は、Ｄフリップフロップ２２、２３の出力信号のＡＮＤ演算を行う。Ｄフリップフロップ２２、２３及びＡＮＤ回路２４で、水平／垂直同期信号検出回路を構成する。　
【００３０】水平同期信号ＨＳＹＮＣ及び垂直同期信号ＶＳＹＮＣは、画像データ供給源から供給される。そして、Ｄフリップフロップ２２、２３の出力信号はＨレベルになり、ＡＮＤ回路２４の出力信号ＤＥＴ２はＨレベルになる。」との記載から、引用文献の「ＡＮＤ回路２４」は、　
「Ｄフリップフロップ２２、２３の出力信号を入力し、前記Ｄフリップフロップ２２、２３と共に水平／垂直同期信号検出回路を構成し、水平同期信号ＨＳＹＮＣ及び垂直同期信号ＶＳＹＮＣが供給されるとＨレベルの出力信号ＤＥＴ２を出力するＡＮＤ回路２４」　
であることが開示されている。　
　
４−２−７　「本発明の一実施例によるタイミングコントローラを示すブロック図」である図５及び記載事項（イ）の「【００３１】擬似データイネーブル信号作成回路２５は、画像データ供給源からのクロックＣＬＫとＡＮＤ回路２４の出力信号ＤＥＴ２とを受け、ＡＮＤ回路２４の出力信号ＤＥＴ２がＨレベルになった後の所定のタイミングで擬似データイネーブル信号ＥＮＡＢ−Ｄ１を作成する。」との記載から、引用文献の「擬似データイネーブル信号作成回路２５」は、　
「画像データ供給源から供給されるクロックＣＬＫとＡＮＤ回路２４の出力信号ＤＥＴ２を入力し、擬似データイネーブル信号ＥＮＡＢ−Ｄ１を作成する擬似データイネーブル信号作成回路２５」　
であることが開示されている。　
　また、記載事項（ウ）には、「【００４８】また、擬似データイネーブル信号ＥＮＡＢ−Ｄ１が画像データＤＡＴＡに同期するように前述のバックポーチＴｈｂ、Ｔｖｂ、Ｔｈｆ、Ｔｖｆを決めれば、第２の表示タイミング制御モードは従来と同様に特定のタイミング仕様に合致したものとなる。更に、第２の表示タイミング制御モードは、水平同期信号ＨＳＹＮＣ及び垂直同期信号ＶＳＹＮＣは供給されるが、データイネーブル信号ＥＮＡＢは供給されないタイミング仕様にも適用できる。」と記載されているから、引用文献の「擬似データイネーブル信号作成回路２５」は、「擬似データイネーブル信号ＥＮＡＢ−Ｄ１」を、　
「画像データ供給源から供給される画像データＤＡＴＡに同期するように決められたバックポーチとフロントポーチに従って作成する」ことが開示されている。　
　してみると、引用文献の「疑似データイネーブル信号作成回路２５」は、
「画像データ供給源から供給されるクロックＣＬＫとＡＮＤ回路２４の出力信号ＤＥＴ２を入力し、前記画像データ供給源から供給される画像データＤＡＴＡに同期するように決められたバックポーチとフロントポーチに従って擬似データイネーブル信号ＥＮＡＢ−Ｄ１を作成する擬似データイネーブル信号作成回路２５」　
であることが開示されている。　
　
４−２−８　「本発明の一実施例によるタイミングコントローラを示すブロック図」である図５及び記載事項（イ）の「【００３３】・・・また、２７は画像データ供給源から供給されるクロックＣＬＫ及びＮＯＲ回路２６の出力を入力して、ＮＯＲ回路２６の出力がＨレベルとされた場合、即ち、画像データ供給源からデータイネーブル信号ＥＮＡＢ、水平同期信号ＨＳＹＮＣ及び垂直同期信号ＶＳＹＮＣが供給されない場合には、擬似データイネーブル信号ＥＮＡＢ−Ｄ２を出力する保護回路である。」との記載から、引用文献の「保護回路２７」は、　
「Ｄフリップフロップ２０の出力信号ＤＥＴ１とＡＮＤ回路２４の出力信号ＤＥＴ２のＮＯＲ出力と、前記画像データ供給源から供給されるクロックＣＬＫを入力し、前記画像データ供給源からデータイネーブル信号ＥＮＡＢ、水平同期信号ＨＳＹＮＣ及び垂直同期信号が供給されない場合に、擬似データイネーブル信号ＥＮＡＢ−Ｄ２を出力する保護回路２７」　
であることが開示されている。　
　
４−２−９　「本発明の一実施例によるタイミングコントローラを示すブロック図」である図５及び記載事項（イ）の「【００３５】・・・タイミング作成回路３２には、画像データ供給源から供給される画像データＤＡＴＡと、クロックＣＬＫと、ＡＮＤ回路２１の出力と、擬似データイネーブル信号生成回路２５の出力と、Ｄフリップフロップ２０の出力と、ＡＮＤ回路２４の出力と、保護回路２７の出力とが供給される。　
【００３６】これに対応して、タイミング作成回路３２は、液晶表示パネルのデータバスを駆動するデータドライバに対しては、データドライバ用クロックＤ−ＣＬＫと、データドライバ用スタートパルスＤ−ＳＰと、ラッチパルスＬＰ及び画像データＤＡＴＡとを供給し、液晶表示パネルのゲートバスを駆動するゲートドライバに対しては、ゲートドライバ用クロックＧ−ＣＬＫと、ゲートドライバ用スタートパルスＧ−ＳＰとを供給する」との記載から、引用文献の「タイミング作成回路３２」は、　
「画像データ供給源から画像データＤＡＴＡ、クロックＣＬＫ、データイネーブル信号ＥＮＡＢ、擬似データイネーブル信号作成回路２５が作成する擬似データイネーブル信号ＥＮＡＢ−Ｄ１、保護回路２７が出力する擬似データイネーブル信号ＥＮＡＢ−Ｄ２、Ｄフリップフロップ２０の出力信号ＤＥＴ１、ＡＮＤ回路２４の出力信号ＤＥＴ２を入力し、データドライバに対してデータドライバ用クロックＤ−ＣＬＫ、データドライバ用スタートパルスＤ−ＳＰ、ラッチパルスＬＰ、前記画像データＤＡＴＡを供給し、ゲートドライバに対してゲートドライバ用クロックＧ−ＣＬＫ、ゲートドライバ用スタートパルスＧ−ＳＰを供給するタイミング作成回路３２」　
であることが開示されている。　
　
４−２−１０　記載事項（エ）には、「【００５３】ここに、画像データ供給源からデータイネーブル信号ＥＮＡＢが供給された場合には、Ｄフリップフロップ２０の出力＝Ｈレベルとなり、ＡＮＤ回路２１からデータイネーブル信号ＥＮＡＢが出力される。この結果、タイミング作成回路３２においては、Ｄフリップフロップ２０の出力＝Ｈレベルとなったことに基づき、ＡＮＤ回路２１から出力されるデータイネーブル信号ＥＮＡＢに基づく表示タイミングにより液晶表示パネルにおける画像データＤＡＴＡの表示タイミングを制御できるように、データドライバ及びゲートドライバに対する制御が行われる（ステップＳＴ３）。　
【００５４】これに対して、画像データ供給源からデータイネーブル信号ＥＮＡＢが供給されず、水平同期信号ＨＳＹＮＣ及び垂直同期信号ＶＳＹＮＣが供給された場合には、Ｄフリップフロップ２０の出力＝Ｌレベルが維持されると共に、ＡＮＤ回路２４の出力＝Ｈレベルとなり、擬似データイネーブル信号生成回路２５から擬似データイネーブル信号ＥＮＡＢ−Ｄ１が出力される。　
【００５５】この結果、タイミング作成回路３２においては、Ｄフリップフロップ２０の出力＝Ｌレベルが維持されると共に、ＡＮＤ回路２４の出力＝Ｈレベルとなったことに基づき、擬似データイネーブル信号ＥＮＡＢ−Ｄ１に基づく表示タイミングにより液晶表示パネルにおける画像データの表示タイミングを制御できるように、データドライバ及びゲートドライバに対する制御が行われる（ステップＳＴ５）。　
【００５６】また、画像データ供給源からデータイネーブル信号ＥＮＡＢ、水平同期信号ＨＳＹＮＣ及び垂直同期信号ＶＳＹＮＣが供給されない場合には、Ｄフリップフロップ２０の出力レベル＝Ｌレベル、ＡＮＤ回路２４の出力レベル＝Ｌレベルが維持され、ＮＯＲ回路２６の出力＝Ｈレベルとなる。この結果、・・・、タイミング作成回路３２は、擬似データイネーブル信号ＥＮＡＢ−Ｄ２に基づく表示タイミングにより液晶表示パネルにおける画像データＤＡＴＡの表示タイミングを制御できるように、データドライバ及びゲートドライバに対する制御が行われる（ステップＳＴ６）。」と記載されているから、引用文献の「タイミング作成回路３２」は、
「画像データ供給源からデータイネーブル信号ＥＮＡＢが供給された場合には、Ｄフリップフロップ２０の出力信号ＤＥＴ１がＨレベルとなったことに基づき、データイネーブル信号ＥＮＡＢに基づく表示タイミングにより液晶表示パネルにおける画像データＤＡＴＡの表示タイミングを制御できるように、データドライバ及びゲートドライバに対する制御を行ない、　
　前記画像データ供給源からデータイネーブル信号ＥＮＡＢが供給されず、水平同期信号ＨＳＹＮＣ及び垂直同期信号ＶＳＹＮＣが供給された場合には、Ｄフリップフロップ２０の出力信号ＤＥＴ１がＬレベルを維持すると共に、ＡＮＤ回路２４の出力信号ＤＥＴ２がＨレベルとなったことに基づき、擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行ない、　
　前記画像データ供給源からデータイネーブル信号ＥＮＡＢ、水平同期信号ＨＳＹＮＣ及び垂直同期信号ＶＳＹＮＣが供給されない場合には、Ｄフリップフロップ２０の出力信号ＤＥＴ１がＬレベル、ＡＮＤ回路２４の出力信号ＤＥＴ２がＬレベルを維持することに基づき、擬似データイネーブル信号ＥＮＡＢ−Ｄ２に基づく表示タイミングにより液晶表示パネルにおける画像データの表示タイミングを制御できるように、前記データドライバ及び前記ゲートドライバに対する制御を行なう」　
ものであることが開示されている。　
　
４−３　引用文献に記載された発明　
　上記「４−２−１」〜「４−２−１０」を勘案すると、引用文献には以下の発明が記載されている。　
　
「液晶表示パネルと、　
　前記液晶表示パネルに形成された信号ラインを駆動するデータドライバと、　
　前記液晶表示パネルに形成された走査ラインを駆動するゲートドライバと、　
　前記液晶表示装置が搭載される、種々の電子装置の画像データ供給源が供給する種々のタイミング仕様に適用できる液晶表示パネル用のタイミングコントローラとを具備し、　
　前記タイミングコントローラは、　
（ａ）　前記画像データ供給源からデータイネーブル信号ＥＮＡＢとクロックＣＬＫを入力して前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力することで、データイネーブル信号検出器として機能するＤフリップフロップ２０、　
（ｂ）　前記画像データ供給源から水平同期信号ＨＳＹＮＣとクロックＣＬＫを入力して前記水平同期信号ＨＳＹＮＣを前記クロックＣＬＫに同期してラッチし、前記水平同期信号ＨＳＹＮＣが供給される場合はＨレベル、前記水平同期信号ＨＳＹＮＣが供給されない場合はＬレベルの出力信号を出力することで、水平同期信号検出器として機能するＤフリップフロップ２２、　
（ｃ）　前記画像データ供給源から垂直同期信号ＶＳＹＮＣとクロックＣＬＫを入力して前記垂直同期信号ＶＳＹＮＣを前記クロックＣＬＫに同期してラッチし、前記垂直同期信号ＶＳＹＮＣが供給される場合はＨレベル、前記垂直同期信号ＶＳＹＮＣが供給されない場合はＬレベルの出力信号を出力することで、垂直同期信号検出器として機能するＤフリップフロップ２３、
（ｄ）　前記Ｄフリップフロップ２２、２３の出力信号を入力し、前記Ｄフリップフロップ２２、２３と共に水平／垂直同期信号検出回路を構成し、前記水平同期信号ＨＳＹＮＣ及び垂直同期信号ＶＳＹＮＣが供給されるとＨレベルの出力信号ＤＥＴ２を出力するＡＮＤ回路２４、
（ｅ）　前記画像データ供給源から供給されるクロックＣＬＫと前記ＡＮＤ回路２４の出力信号ＤＥＴ２を入力し、前記画像データ供給源から供給される画像データＤＡＴＡに同期するように決められたバックポーチとフロントポーチに従って擬似データイネーブル信号ＥＮＡＢ−Ｄ１を作成する擬似データイネーブル信号作成回路２５、
（ｆ）　前記Ｄフリップフロップ２０の出力信号ＤＥＴ１と前記ＡＮＤ回路２４の出力信号ＤＥＴ２のＮＯＲ出力と、前記画像データ供給源から供給されるクロックＣＬＫを入力し、前記画像データ供給源からデータイネーブル信号ＥＮＡＢ、水平同期信号ＨＳＹＮＣ及び垂直同期信号が供給されない場合に、擬似データイネーブル信号ＥＮＡＢ−Ｄ２を出力する保護回路２７、
（ｇ）　前記画像データ供給源から供給される画像データＤＡＴＡ、クロックＣＬＫ、データイネーブル信号ＥＮＡＢ、前記擬似データイネーブル信号作成回路２５が作成する擬似データイネーブル信号ＥＮＡＢ−Ｄ１、前記保護回路２７が出力する擬似データイネーブル信号ＥＮＡＢ−Ｄ２、前記Ｄフリップフロップ２０の出力信号ＤＥＴ１、前記ＡＮＤ回路２４の出力信号ＤＥＴ２を入力し、前記データドライバに対してデータドライバ用クロックＤ−ＣＬＫ、データドライバ用スタートパルスＤ−ＳＰ、ラッチパルスＬＰ、前記画像データＤＡＴＡを供給し、前記ゲートドライバに対してゲートドライバ用クロックＧ−ＣＬＫ、ゲートドライバ用スタートパルスＧ−ＳＰとを供給するタイミング作成回路３２、
を有し、　
　前記タイミング作成回路３２は、　
　前記画像データ供給源からデータイネーブル信号ＥＮＡＢが供給された場合には、前記Ｄフリップフロップ２０の出力信号ＤＥＴ１がＨレベルとなったことに基づき、前記データイネーブル信号ＥＮＡＢに基づく表示タイミングにより液晶表示パネルにおける画像データＤＡＴＡの表示タイミングを制御できるように、前記データドライバ及び前記ゲートドライバに対する制御を行ない、　
　前記画像データ供給源からデータイネーブル信号ＥＮＡＢが供給されず、水平同期信号ＨＳＹＮＣ及び垂直同期信号ＶＳＹＮＣが供給された場合には、前記Ｄフリップフロップ２０の出力信号ＤＥＴ１がＬレベルを維持すると共に、前記ＡＮＤ回路２４の出力信号ＤＥＴ２がＨレベルとなったことに基づき、前記擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行ない、　
　前記画像データ供給源からデータイネーブル信号ＥＮＡＢ、水平同期信号ＨＳＹＮＣ及び垂直同期信号ＶＳＹＮＣが供給されない場合には、前記Ｄフリップフロップ２０の出力信号ＤＥＴ１がＬレベル、前記ＡＮＤ回路２４の出力信号ＤＥＴ２がＬレベルを維持することに基づき、前記擬似データイネーブル信号ＥＮＡＢ−Ｄ２に基づく表示タイミングにより液晶表示パネルにおける画像データの表示タイミングを制御できるように、前記データドライバ及び前記ゲートドライバに対する制御を行なう、　
液晶表示装置。」（以下「引用発明」という。）　
　
５　対比　
５−１　はじめに、本願発明では「各種の外部回路」から種々の同期信号が供給されるところ、「各種の外部回路」から供給される種々の同期信号について、発明の詳細な説明の記載を参酌して検討する。　
　本願の発明の詳細な説明には、以下の記載がある。（当審注：下線は、当審が付加した。）　
（キ）　「【０００２】　
　…。表示制御部４に対して、パソコン等の
外部回路
から供給される
垂直同期（ＶＳＣ）信号
水平同期（ＨＳＣ）信号
データイネーブル（ＤＥ）信号
（ク）　「【００１０】　
この発明は、上述の事情に鑑みてなされたものであって、この発明の目的は、上記従来の技術で問題となっている点、即ち、
入力される同期信号がＶＳＣ信号、ＤＥ信号のみ（ＨＳＣ信号が入力されない）の場合
入力される同期信号がＨＳＣ信号、ＤＥ信号のみ（ＶＳＣ信号が入力されない）の場合
入力される同期信号の組み合わせが、どのような場合においても
自動同期判定回路
（ケ）　「【００２４】　
まず、
ＶＳＣ信号、ＨＳＣ信号が入力、ＤＥ信号が未入力
【００２５】　
次に、
ＶＳＣ信号、ＨＳＣ信号が未入力
ＤＥ信号が入力
【００２６】　
次に、
ＶＳＣ信号、ＨＳＣ信号が入力、ＤＥ信号が入力
【００２７】　
次に、
ＶＳＣ信号が未入力
ＨＳＣ信号が入力、ＤＥ信号が入力
【００２８】　
次に、
ＶＳＣ信号入力、ＨＳＣ信号が未入力
ＤＥ信号が入力
【００２９】　
次に、ＶＳＣ信号、ＨＳＣ信号が入力、ＤＥ信号が未入力状態から、
ＶＳＣ信号、ＨＳＣ信号が未入力、ＤＥ信号が入力
【００３０】　
最後に、ＶＳＣ信号、ＨＳＣ信号が未入力、ＤＥ信号が入力状態から、
ＶＳＣ信号、ＨＳＣ信号が入力、ＤＥ信号が未入力
【００３１】　
…。　
【００３２】　
以上のように、
ＶＳＣ信号、ＨＳＣ信号、及びＤＥ信号の入力／未入力の全ての組み合わせ
　
　上記（キ）には、外部回路は、垂直同期信号、水平同期信号、データイネーブル信号を供給することが記載されている。　
　上記（ク）には、自動同期判定回路が入力する同期信号に、種々の組み合わせがあることが記載されている。　
　上記（ケ）には、自動同期判定回路が入力する同期信号の全ての組み合わせが記載されており、以下の（１）〜（５）である。　
（１）垂直同期信号が入力、水平同期信号が入力、データイネーブル信号が未入力
（２）垂直同期信号が未入力、水平同期信号が未入力、データイネーブル信号が入力
（３）垂直同期信号が入力、水平同期信号が入力、データイネーブル信号が入力
（４）垂直同期信号が未入力、水平同期信号が入力、データイネーブル信号が入力
（５）垂直同期信号が入力、水平同期信号が未入力、データイネーブル信号が入力
　そして、自動同期判定回路が入力する同期信号は、外部回路が供給する同期信号である。そうすると、自動同期判定回路が入力する同期信号の組み合わせは、外部回路が供給する同期信号の組み合わせでもある。　
　してみると、本願発明の「各種の外部回路」が供給する同期信号の全ての組み合わせは、
（１）垂直同期信号を供給、水平同期信号を供給、データイネーブル信号を非供給　
（２）垂直同期信号を非供給、水平同期信号を非供給、データイネーブル信号を供給　
（３）垂直同期信号を供給、水平同期信号を供給、データイネーブル信号を供給　
（４）垂直同期信号を非供給、水平同期信号を供給、データイネーブル信号を供給　
（５）垂直同期信号を供給、水平同期信号を非供給、データイネーブル信号を供給　
である。　
　
５−２　本願発明の「各種の外部回路に接続可能な汎用性のあるインターフェイスであって、前記外部回路から供給される同期信号として、垂直同期信号及び水平同期信号が入力、データイネーブル信号が未入力の状態では、前記垂直同期信号及び水平同期信号を表示動作の基準信号と判定し、前記外部回路から供給される同期信号として、前記データイネーブル信号が入力、前記垂直同期信号及び水平同期信号の一方又は双方が入力若しくは未入力の状態では、前記データイネーブル信号を表示動作の基準信号と判定する判定信号を出力する自動同期判定回路」と、引用発明の「前記液晶表示装置が搭載される、種々の電子装置の画像データ供給源が供給する種々のタイミング仕様に適用できる液晶表示パネル用のタイミングコントローラ」が有する「（ａ）　前記画像データ供給源からデータイネーブル信号ＥＮＡＢとクロックＣＬＫを入力して前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力することで、データイネーブル信号検出器として機能するＤフリップフロップ２０」を比較する。　
　
５−２−１　はじめに、本願発明の「自動同期判定回路」が「各種の外部回路に接続可能な汎用性のあるインターフェイスであ」る回路であることと、引用発明の「前記液晶表示装置が搭載される、種々の電子装置の画像データ供給源が供給する種々のタイミング仕様に適用できる液晶表示パネル用のタイミングコントローラ」が有する「Ｄフリップフロップ２０」を比較する。
　引用発明の「前記液晶表示装置が搭載される」「電子装置の画像データ供給源」は、液晶表示装置の外部の回路である。そして、引用発明の「電子装置の画像データ供給源」は「種々」であるから、引用発明の「前記液晶表示装置が搭載される、種々の電子装置の画像データ供給源」は、本願発明の「各種の外部回路」に相当する。　
　ところで、「インターフェイス」は「一つの装置が他の装置に対して交信や制御を行なうことができるようにするある様式の電子装置」（マグローヒル　科学技術用語大辞典　改訂第３版　日刊工業新聞社）である。そして、引用発明の「タイミングコントローラ」は、「前記液晶表示装置が搭載される」「電子装置の画像データ供給源」が、「前記データドライバ及び前記ゲートドライバに対する制御を行な」うことができるように、「前記液晶表示装置が搭載される、種々の電子装置の画像データ供給源」から「画像データＤＡＴＡ」、「クロックＣＬＫ」、「データイネーブル信号ＥＮＡＢ」、「垂直同期信号ＶＳＹＮＣ」、「水平同期信号ＨＳＹＮＣ」を入力し、「データドライバ」に対して「データドライバ用クロックＤ−ＣＬＫ」、「データドライバ用スタートパルスＤ−ＳＰ」、「ラッチパルスＬＰ」、「画像データＤＡＴＡ」を供給し、「データドライバ」に対する制御を行うとともに、「ゲートドライバ」に対して「ゲートドライバ用クロックＧ−ＣＬＫ」、「ゲートドライバ用スタートパルスＧ−ＳＰ」を供給し、「ゲートドライバ」に対する制御を行なっている。
　そうすると、引用発明の「タイミングコントローラ」は、「インターフェイス」である。また、前記「タイミングコントローラ」が有する「Ｄフリップフロップ２０」も、「前記液晶表示装置が搭載される、種々の電子装置の画像データ供給源」から「データイネーブル信号ＥＮＡＢ」と「クロックＣＬＫ」を入力し、その「出力信号ＤＥＴ１」が「データドライバ」と「ゲートドライバ」に対する制御に用いられるから、「インターフェイス」である。さらに、前記「種々の電子装置の画像データ供給源」が供給する信号は「種々のタイミング仕様」の信号であるから、前記「Ｄフリップフロップ２０」は「汎用性のあるインターフェイス」である。そして、前記「Ｄフリップフロップ２０」を有した「タイミングコントローラ」は、「種々の電子装置の画像データ供給源が供給する種々のタイミング仕様に適用できる」のであるから、前記「Ｄフリップフロップ２０」は「種々の電子装置の画像データ供給源」に接続可能であると言える。
　以上のことから、本願発明の「各種の外部回路に接続可能な汎用性のあるインターフェイスであ」る「自動同期判定回路」と、引用発明の「前記液晶表示装置が搭載される、種々の電子装置の画像データ供給源が供給する種々のタイミング仕様に適用できる液晶表示パネル用のタイミングコントローラ」が有する「Ｄフリップフロップ２０」は、「各種の外部回路に接続可能な汎用性のあるインターフェイスであ」る「回路」の点で一致する。
　
５−２−２　次に、本願発明の「前記外部回路から供給される同期信号として、垂直同期信号及び水平同期信号が入力、データイネーブル信号が未入力の状態では、前記垂直同期信号及び水平同期信号を表示動作の基準信号と判定し、前記外部回路から供給される同期信号として、前記データイネーブル信号が入力、前記垂直同期信号及び水平同期信号の一方又は双方が入力若しくは未入力の状態では、前記データイネーブル信号を表示動作の基準信号と判定する判定信号を出力する自動同期判定回路」と、引用発明の「（ａ）　前記画像データ供給源からデータイネーブル信号ＥＮＡＢとクロックＣＬＫを入力して前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力することで、データイネーブル信号検出器として機能するＤフリップフロップ２０」を比較する。
　
５−２−２−１　はじめに、本願発明の「前記外部回路から供給される同期信号として、垂直同期信号及び水平同期信号が入力、データイネーブル信号が未入力の状態では、前記垂直同期信号及び水平同期信号を表示動作の基準信号と判定し、前記外部回路から供給される同期信号として、前記データイネーブル信号が入力、前記垂直同期信号及び水平同期信号の一方又は双方が入力若しくは未入力の状態では、前記データイネーブル信号を表示動作の基準信号と判定する判定信号を出力する自動同期判定回路」の技術上の意味を、発明の詳細な説明の記載を参酌して検討する。
　本願の発明の詳細な説明には、「【実施例】【００２０】まず、この発明の実施例を説明する。図１は、この実施例である液晶表示装置に用いる自動同期判定回路の電気的構成を示す回路構成図である。この自動同期判定回路は、ＤＥカウンタ１０、ＡＮＤ回路１１、判定器２０から構成されている。ＤＥカウンタ１０は、データイネーブル（ＤＥ）信号をカウントするためのカウンタである。判定器２０は、ＤＥカウンタ１０のカウント値により判定信号ＤＥＳを生成するものである。この判定信号ＤＥＳにより、「固定モード」か、「ＤＥモード」かの判別を行う。ＡＮＤ回路１１は、ＤＥカウンタ１０、判定器２０のリセット信号を出力するものである。【００２１】…、ＤＥカウンタ１０は、ＤＥ信号の入力によりカウントアップをスタートし、ｎまでカウントアップしたときにストップし、ＤＥカウンタ１０のカウント値がｎとなったとき“Ｈ”となるＤＣ−ＲＣ信号を生成する。…。【００２２】判定器２０は、フリップフロップ等で構成される。この判定器２０のリセット端子には、前述のＡＮＤ回路１１の出力がリセット信号として入力され、そのセット端子には、ＤＥカウンタ１０からのＤＣ−ＲＣ信号が入力され、判定信号であるＤＥＳ信号を生成する。これにより、判定器２０のＤＥＳ信号は、ＰＯＣ信号又はＲＥＳＥＴ信号の立ち上がり時に“Ｈ”にセットされ、ＤＣ−ＲＣ信号の立ち上がり時に“Ｌ”にセットされる。このＤＥＳ信号により、「固定モード」か、「ＤＥモード」かを自動的に判別する。即ち、ＤＥＳ信号が“Ｈ”であれば、「固定モード」と判定し、“Ｌ”であれば、「ＤＥモード」と判定する。「固定モード」と判定された場合には、表示制御部等（図示せず）は、ＶＳＣ信号、ＨＳＣ信号を基準信号として、液晶表示パネル（図示せず）に表示データを表示させる駆動を行い、「ＤＥモード」と判定された場合には、ＤＥ信号を基準信号として、液晶表示パネルに表示データを表示させる駆動を行う。」との記載がある。
　前記記載より、「自動同期判定回路」の「ＤＥカウンタ１０」がデータイネーブル信号（ＤＥ信号）をｎまでカウントアップしたとき、すなわちデータイネーブル信号が入力されたとき、「自動同期判定回路」の「判定器２０」は判定信号（ＤＥＳ信号）“Ｌ”を出力し、表示制御部等が、データイネーブル信号を基準信号として、液晶表示パネルに表示データを表示させる駆動を行なうことが開示されている。また、「自動同期判定回路」の「ＤＥカウンタ１０」がデータイネーブル信号（ＤＥ信号）をｎまでカウントアップしないとき、すなわちデータイネーブル信号が入力されないとき、「自動同期判定回路」の「判定器２０」は判定信号（ＤＥＳ信号）“Ｈ”を出力し、表示制御部等が、垂直同期信号（ＶＳＣ信号）、水平同期信号（ＨＳＣ信号）を基準信号として、液晶表示パネルに表示データを表示させる駆動を行なうことが開示されている。
　そうすると、本願発明の「垂直同期信号及び水平同期信号が入力、データイネーブル信号が未入力の状態」は、データイネーブル信号が未入力の状態を意味し、「前記垂直同期信号及び水平同期信号を表示動作の基準信号と判定…する判定信号を出力する」ことは、“Ｈ”を出力することを意味する。また、本願発明の「前記データイネーブル信号が入力、前記垂直同期信号及び水平同期信号の一方又は双方が入力若しくは未入力の状態」は、データイネーブル信号が入力の状態を意味し、「前記データイネーブル信号を表示動作の基準信号と判定する判定信号を出力する」ことは、“Ｌ”を出力することを意味する。
　したがって、本願発明の「前記外部回路から供給される同期信号として、垂直同期信号及び水平同期信号が入力、データイネーブル信号が未入力の状態では、前記垂直同期信号及び水平同期信号を表示動作の基準信号と判定し、前記外部回路から供給される同期信号として、前記データイネーブル信号が入力、前記垂直同期信号及び水平同期信号の一方又は双方が入力若しくは未入力の状態では、前記データイネーブル信号を表示動作の基準信号と判定する判定信号を出力する自動同期判定回路」は、「前記外部回路から供給される同期信号として、垂直同期信号及び水平同期信号が入力、データイネーブル信号が未入力の状態」、すなわち、データイネーブル信号が未入力の状態「では、前記垂直同期信号及び水平同期信号を表示動作の基準信号と判定」する判定信号として“Ｈ”を出力「し、前記外部回路から供給される同期信号として、前記データイネーブル信号が入力、前記垂直同期信号及び水平同期信号の一方又は双方が入力若しくは未入力の状態」、すなわち、データイネーブル信号が入力の状態「では、前記データイネーブル信号を表示動作の基準信号と判定する判定信号」として“Ｌ”「を出力する自動同期判定回路」を意味するものと解される。
　
５−２−２−２　本願発明の「前記外部回路から供給される同期信号として、垂直同期信号及び水平同期信号が入力、データイネーブル信号が未入力の状態」と、引用発明の「前記画像データ供給源からデータイネーブル信号ＥＮＡＢとクロックＣＬＫを入力し…、前記データイネーブル信号ＥＮＡＢが供給されない場合」を比較する。
　上記「５−２−１」で検討したとおり、引用発明の「前記液晶表示装置が搭載される、種々の電子装置の画像データ供給源」は、本願発明の「各種の外部回路」に相当するから、引用発明の「前記画像データ供給源」は本願発明の「前記外部回路」に相当する。
　また、上記「５−２−２−１」で検討したとおり、本願発明の「垂直同期信号及び水平同期信号が入力、データイネーブル信号が未入力の状態」は、データイネーブル信号が未入力の状態を意味する。そうすると、引用発明の「前記データイネーブル信号ＥＮＡＢが供給されない場合」は、データイネーブル信号が未入力の状態であるから、本願発明の「垂直同期信号及び水平同期信号が入力、データイネーブル信号が未入力の状態」に相当する。　したがって、引用発明の「前記画像データ供給源からデータイネーブル信号ＥＮＡＢとクロックＣＬＫを入力し…、前記データイネーブル信号ＥＮＡＢが供給されない場合」は本願発明の「前記外部回路から供給される同期信号として、垂直同期信号及び水平同期信号が入力、データイネーブル信号が未入力の状態」に相当する。
　
５−２−２−３　本願発明の「自動同期判定回路」が「前記垂直同期信号及び水平同期信号を表示動作の基準信号と判定…する判定信号を出力する」ことと、引用発明の「Ｄフリップフロップ回路２０」が「Ｌレベルの出力信号ＤＥＴ１を出力すること」を比較する。
　上記「５−２−２−１」で検討したとおり、本願発明の「自動同期判定回路」が「前記垂直同期信号及び水平同期信号を表示動作の基準信号と判定…する判定信号を出力する」ことは、“Ｈ”を出力することを意味する。
　次に、引用発明において「Ｄフリップフロップ回路２０」が出力する「Ｌレベルの出力信号ＤＥＴ１」が有する技術上の意味について検討する。引用発明は、「前記タイミング作成回路３２は、…前記画像データ供給源からデータイネーブル信号ＥＮＡＢが供給されず、水平同期信号ＨＳＹＮＣ及び垂直同期信号ＶＳＹＮＣが供給された場合には、前記Ｄフリップフロップ２０の出力信号ＤＥＴ１がＬレベルを維持すると共に、前記ＡＮＤ回路２４の出力信号ＤＥＴ２がＨレベルとなったことに基づき、前記擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」うとの事項を備えており、引用発明の「Ｄフリップフロップ２０」が「Ｌレベルの出力信号ＤＥＴ１」を出力すると、「水平同期信号ＨＳＹＮＣ及び垂直同期信号ＶＳＹＮＣが供給され」、「ＡＮＤ回路２４の出力信号ＤＥＴ２がＨレベルとなったことに基づき」、「擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」っている。ここで、引用発明は、さらに、「（ｂ）　前記画像データ供給源から水平同期信号ＨＳＹＮＣとクロックＣＬＫを入力して前記水平同期信号ＨＳＹＮＣを前記クロックＣＬＫに同期してラッチし、前記水平同期信号ＨＳＹＮＣが供給される場合はＨレベル、前記水平同期信号ＨＳＹＮＣが供給されない場合はＬレベルの出力信号を出力することで、水平同期信号検出器として機能するＤフリップフロップ２２、　
（ｃ）　前記画像データ供給源から垂直同期信号ＶＳＹＮＣとクロックＣＬＫを入力して前記垂直同期信号ＶＳＹＮＣを前記クロックＣＬＫに同期してラッチし、前記垂直同期信号ＶＳＹＮＣが供給される場合はＨレベル、前記垂直同期信号ＶＳＹＮＣが供給されない場合はＬレベルの出力信号を出力することで、垂直同期信号検出器として機能するＤフリップフロップ２３、　
（ｄ）　前記Ｄフリップフロップ２２、２３の出力信号を入力し、前記Ｄフリップフロップ２２、２３と共に水平／垂直同期信号検出回路を構成し、前記水平同期信号ＨＳＹＮＣ及び垂直同期信号ＶＳＹＮＣが供給されるとＨレベルの出力信号ＤＥＴ２を出力するＡＮＤ回路２４、　
（ｅ）　前記画像データ供給源から供給されるクロックＣＬＫと前記ＡＮＤ回路２４の出力信号ＤＥＴ２を入力し、前記画像データ供給源から供給される画像データＤＡＴＡに同期するように決められたバックポーチとフロントポーチに従って擬似データイネーブル信号ＥＮＡＢ−Ｄ１を作成する擬似データイネーブル信号作成回路２５」との事項を備えているから、「擬似データイネーブル信号ＥＮＡＢ−Ｄ１」は、「水平同期信号ＨＳＹＮＣ」と「垂直同期信号ＶＳＹＮＣ」に基づく信号である。
　してみると、引用発明の「タイミング作成回路３２」が「擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」うことは、「水平同期信号ＨＳＹＮＣ」と「垂直同期信号ＶＳＹＮＣ」「に基づく表示タイミングにより液晶表示パネルにおける画像データの表示タイミングを制御できるように、前記データドライバ及び前記ゲートドライバに対する制御を行な」うことである。
　したがって、「Ｄフリップフロップ２０」が出力する「Ｌレベルの出力信号ＤＥＴ１」は、「水平同期信号ＨＳＹＮＣ及び垂直同期信号ＶＳＹＮＣが供給され」ている場合に、「水平同期信号ＨＳＹＮＣ」と「垂直同期信号ＶＳＹＮＣ」に基づく表示タイミングにより液晶表示パネルにおける画像データの表示タイミングを制御できるように、前記データドライバ及び前記ゲートドライバに対する制御を行なうと判定する判定信号としての技術上の意味を有している。ここで、引用発明では、「Ｄフリップフロップ回路２０」が「Ｌレベルの出力信号ＤＥＴ１を出力」し、「データイネーブル信号ＥＮＡＢ」が供給されていない場合、「水平同期信号ＨＳＹＮＣ及び垂直同期信号ＶＳＹＮＣが供給され」るか否か不明であるので、「水平同期信号ＨＳＹＮＣ及び垂直同期信号ＶＳＹＮＣが供給され」ていることを条件として上記制御をしているが、本願発明と対比するに際しては、上記「５−１」に記載したとおり、常に「水平同期信号」と「垂直同期信号」が供給されるから、「水平同期信号ＨＳＹＮＣ及び垂直同期信号ＶＳＹＮＣが供給され」ている旨の条件は不要である。そうすると、引用発明の「Ｄフリップフロップ２０」が出力する「Ｌレベルの出力信号ＤＥＴ１」が意味する「水平同期信号ＨＳＹＮＣ」と「垂直同期信号ＶＳＹＮＣ」「に基づく表示タイミングにより液晶表示パネルにおける画像データの表示タイミングを制御できるように、前記データドライバ及び前記ゲートドライバに対する制御を行な」うと判定する判定信号は、本願発明の「前記垂直同期信号及び水平同期信号を表示動作の基準信号」と判定」「する判定信号」に相当する。
　したがって、引用発明の「Ｄフリップフロップ回路２０」が「Ｌレベルの出力信号ＤＥＴ１を出力すること」は、本願発明の「自動同期判定回路」が「前記垂直同期信号及び水平同期信号を表示動作の基準信号と判定…する判定信号を出力する」ことに相当する。
　
５−２−２−４　本願発明の「前記外部回路から供給される同期信号として、前記データイネーブル信号が入力、前記垂直同期信号及び水平同期信号の一方又は双方が入力若しくは未入力の状態」と、引用発明の「前記画像データ供給源からデータイネーブル信号ＥＮＡＢとクロックＣＬＫを入力し…、前記データイネーブル信号ＥＮＡＢが供給される場合」を比較する。
　上記「５−２−１」で検討したとおり、引用発明の「前記液晶表示装置が搭載される、種々の電子装置の画像データ供給源」は、本願発明の「各種の外部回路」に相当するから、引用発明の「前記画像データ供給源」は本願発明の「前記外部回路」に相当する。
　また、上記「５−２−２−１」で検討したとおり、本願発明の「前記データイネーブル信号が入力、前記垂直同期信号及び水平同期信号の一方又は双方が入力若しくは未入力の状態」は、データイネーブル信号が入力の状態を意味する。そうすると、引用発明の「前記データイネーブル信号ＥＮＡＢが供給される場合」は、データイネーブル信号が入力の状態であるから、本願発明の「前記データイネーブル信号が入力、前記垂直同期信号及び水平同期信号の一方又は双方が入力若しくは未入力の状態」に相当する。
　したがって、引用発明の「前記画像データ供給源からデータイネーブル信号ＥＮＡＢとクロックＣＬＫを入力し…、前記データイネーブル信号ＥＮＡＢが供給される場合」は、本願発明の「前記外部回路から供給される同期信号として、前記データイネーブル信号が入力、前記垂直同期信号及び水平同期信号の一方又は双方が入力若しくは未入力の状態」に相当する。
　
５−２−２−５　本願発明の「自動同期判定回路」が「前記データイネーブル信号を表示動作の基準信号と判定する判定信号を出力する」ことと、引用発明の「Ｄフリップフロップ回路２０」が「Ｈレベル…の出力信号ＤＥＴ１を出力すること」を比較する。
　上記「５−２−２−１」で検討したとおり、本願発明の「自動同期判定回路」が「前記データイネーブル信号を表示動作の基準信号と判定する判定信号を出力する」ことは、“Ｌ”を出力することを意味する。
　次に、引用発明において「Ｄフリップフロップ回路２０」が出力する「Ｈレベルの出力信号ＤＥＴ１」が有する技術上の意味について検討する。上記「５−２−２−３」における検討と同様に検討すると、引用発明は、「前記タイミング作成回路３２は、前記画像データ供給源からデータイネーブル信号ＥＮＡＢが供給された場合には、前記Ｄフリップフロップ２０の出力信号ＤＥＴ１がＨレベルとなったことに基づき、前記データイネーブル信号ＥＮＡＢに基づく表示タイミングにより液晶表示パネルにおける画像データＤＡＴＡの表示タイミングを制御できるように、前記データドライバ及び前記ゲートドライバに対する制御を行ない」との事項を備えており、引用発明の「Ｄフリップフロップ２０」が「Ｈレベルの出力信号ＤＥＴ１」を出力すると、「Ｄフリップフロップ２０の出力信号ＤＥＴ１がＨレベルとなったことに基づき」、「前記データイネーブル信号ＥＮＡＢに基づく表示タイミングにより液晶表示パネルにおける画像データの表示タイミングを制御できるように、前記データドライバ及び前記ゲートドライバに対する制御を行な」っている。したがって、「Ｄフリップフロップ２０」が出力する「Ｈレベルの出力信号ＤＥＴ１」は、「データイネーブル信号ＥＮＡＢ」に基づく表示タイミングにより液晶表示パネルにおける画像データの表示タイミングを制御できるように、前記データドライバ及び前記ゲートドライバに対する制御を行なうと判定する判定信号としての意味を有している。
　そうすると、引用発明の「Ｄフリップフロップ２０」が出力する「Ｈレベルの出力信号ＤＥＴ１」が意味する「データイネーブル信号ＥＮＡＢ」に基づく表示タイミングにより液晶表示パネルにおける画像データの表示タイミングを制御できるように、前記データドライバ及び前記ゲートドライバに対する制御を行な」うと判定する判定信号は、本願発明の「前記データイネーブル信号を表示動作の基準信号と判定する判定信号」に相当する。
　したがって、引用発明の「Ｄフリップフロップ回路２０」が「Ｈレベルの出力信号ＤＥＴ１を出力すること」は、本願発明の「自動同期判定回路」が「前記データイネーブル信号を表示動作の基準信号と判定する判定信号を出力する」ことに相当する。
　
５−２−２−６　以上のことから、引用発明の「（ａ）　前記画像データ供給源からデータイネーブル信号ＥＮＡＢとクロックＣＬＫを入力して前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力することで、データイネーブル信号検出器として機能するＤフリップフロップ２０」は、本願発明の「各種の外部回路に接続可能な汎用性のあるインターフェイスであって、前記外部回路から供給される同期信号として、垂直同期信号及び水平同期信号が入力、データイネーブル信号が未入力の状態では、前記垂直同期信号及び水平同期信号を表示動作の基準信号と判定し、前記外部回路から供給される同期信号として、前記データイネーブル信号が入力、前記垂直同期信号及び水平同期信号の一方又は双方が入力若しくは未入力の状態では、前記データイネーブル信号を表示動作の基準信号と判定する判定信号を出力する自動同期判定回路」に相当する。
　
５−３　本願発明の「該自動同期判定回路が、「前記垂直同期信号及び水平同期信号を基準信号」と判定したときは、前記垂直同期信号及び水平同期信号を基準信号として、液晶表示パネルに表示データを表示させる駆動を行い、「前記データイネーブル信号を基準信号」と判定したときは、前記データイネーブル信号を基準信号として、前記液晶表示パネルに表示データを表示させる駆動を行う表示制御部」と、引用発明の「前記液晶表示装置が搭載される、種々の電子装置の画像データ供給源が供給する種々のタイミング仕様に適用できる液晶表示パネル用のタイミングコントローラ」が有する「（ｂ）…Ｄフリップフロップ２２、（ｃ）…Ｄフリップフロップ２３、（ｄ）　…ＡＮＤ回路２４、（ｅ）…擬似データイネーブル信号作成回路２５、（ｆ）…保護回路２７、（ｇ）　前記画像データ供給源から供給される画像データＤＡＴＡ、クロックＣＬＫ、データイネーブル信号ＥＮＡＢ、前記擬似データイネーブル信号作成回路２５が作成する擬似データイネーブル信号ＥＮＡＢ−Ｄ１、前記保護回路２７が出力する擬似データイネーブル信号ＥＮＡＢ−Ｄ２、前記Ｄフリップフロップ２０の出力信号ＤＥＴ１、前記ＡＮＤ回路２４の出力信号ＤＥＴ２が供給され、前記データドライバに対してデータドライバ用クロックＤ−ＣＬＫ、データドライバ用スタートパルスＤ−ＳＰ、ラッチパルスＬＰ、前記画像データＤＡＴＡを供給し、前記ゲートドライバに対してゲートドライバ用クロックＧ−ＣＬＫ、ゲートドライバ用スタートパルスＧ−ＳＰとを供給するタイミング作成回路３２」であって、「前記画像データ供給源からデータイネーブル信号ＥＮＡＢが供給された場合には、前記Ｄフリップフロップ２０の出力信号ＤＥＴ１がＨレベルとなったことに基づき、前記データイネーブル信号ＥＮＡＢに基づく表示タイミングにより液晶表示パネルにおける画像データＤＡＴＡの表示タイミングを制御できるように、前記データドライバ及び前記ゲートドライバに対する制御を行ない、　
　前記画像データ供給源からデータイネーブル信号ＥＮＡＢが供給されず、水平同期信号ＨＳＹＮＣ及び垂直同期信号ＶＳＹＮＣが供給された場合には、前記Ｄフリップフロップ２０の出力信号ＤＥＴ１がＬレベルを維持すると共に、前記ＡＮＤ回路２４の出力信号ＤＥＴ２がＨレベルとなったことに基づき、前記擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」うことを比較する。　
　
５−３−１　本願発明の「該自動同期判定回路が、「前記垂直同期信号及び水平同期信号を基準信号」と判定したときは、前記垂直同期信号及び水平同期信号を基準信号として、液晶表示パネルに表示データを表示させる駆動を行」「う表示制御部」と、引用発明の「前記画像データ供給源からデータイネーブル信号ＥＮＡＢが供給されず、水平同期信号ＨＳＹＮＣ及び垂直同期信号ＶＳＹＮＣが供給された場合には、前記Ｄフリップフロップ２０の出力信号ＤＥＴ１がＬレベルを維持すると共に、前記ＡＮＤ回路２４の出力信号ＤＥＴ２がＨレベルとなったことに基づき、前記擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」う「タイミング作成回路３２」を比較する。
　上記「５−２−２−３」で検討したとおり、引用発明の「Ｄフリップフロップ回路２０」が「Ｌレベルの出力信号ＤＥＴ１を出力すること」は、本願発明の「自動同期判定回路」が「前記垂直同期信号及び水平同期信号を表示動作の基準信号と判定…する判定信号を出力する」ことに相当することから、引用発明の「タイミング作成回路３２」が「前記画像データ供給源からデータイネーブル信号ＥＮＡＢが供給されず、水平同期信号ＨＳＹＮＣ及び垂直同期信号ＶＳＹＮＣが供給された場合には、前記Ｄフリップフロップ２０の出力信号ＤＥＴ１がＬレベルを維持すると共に、前記ＡＮＤ回路２４の出力信号ＤＥＴ２がＨレベルとなったことに基づき」は、本願発明の「該自動同期判定回路が、「前記垂直同期信号及び水平同期信号を基準信号」と判定したとき」に相当する。
　また、上記「５−２−２−３」で検討したとおり、引用発明の「タイミング作成回路３２」が「擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」うことは、「水平同期信号ＨＳＹＮＣ」と「垂直同期信号ＶＳＹＮＣ」に基づく表示タイミングにより液晶表示パネルにおける画像データの表示タイミングを制御できるように、前記データドライバ及び前記ゲートドライバに対する制御を行な」うことであるから、引用発明の「タイミング作成回路３２」が「擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」うことは、本願発明の「表示制御部」が「前記垂直同期信号及び水平同期信号を基準信号として、液晶表示パネルに表示データを表示させる駆動を行」うことに相当する。
　したがって、引用発明の「前記画像データ供給源からデータイネーブル信号ＥＮＡＢが供給されず、水平同期信号ＨＳＹＮＣ及び垂直同期信号ＶＳＹＮＣが供給された場合には、前記Ｄフリップフロップ２０の出力信号ＤＥＴ１がＬレベルを維持すると共に、前記ＡＮＤ回路２４の出力信号ＤＥＴ２がＨレベルとなったことに基づき、前記擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」う「タイミング作成回路３２」は、本願発明の「該自動同期判定回路が、「前記垂直同期信号及び水平同期信号を基準信号」と判定したときは、前記垂直同期信号及び水平同期信号を基準信号として、液晶表示パネルに表示データを表示させる駆動を行」「う表示制御部」に相当する。
　
５−３−２　本願発明の「該自動同期判定回路が、…「前記データイネーブル信号を基準信号」と判定したときは、前記データイネーブル信号を基準信号として、前記液晶表示パネルに表示データを表示させる駆動を行う表示制御部」と、引用発明の「前記画像データ供給源からデータイネーブル信号ＥＮＡＢが供給された場合には、前記Ｄフリップフロップ２０の出力信号ＤＥＴ１がＨレベルとなったことに基づき、前記データイネーブル信号ＥＮＡＢに基づく表示タイミングにより液晶表示パネルにおける画像データＤＡＴＡの表示タイミングを制御できるように、前記データドライバ及び前記ゲートドライバに対する制御を行な」う「タイミング作成回路３２」を比較する。
　上記「５−２−２−５」で検討したとおり、引用発明の「Ｄフリップフロップ回路２０」が「Ｈレベルの出力信号ＤＥＴ１を出力すること」は、本願発明の「自動同期判定回路」が「前記データイネーブル信号を表示動作の基準信号と判定する判定信号を出力する」ことに相当するから、引用発明の「前記画像データ供給源からデータイネーブル信号ＥＮＡＢが供給された場合には、前記Ｄフリップフロップ２０の出力信号ＤＥＴ１がＨレベルとなったことに基づき」は、本願発明の「該自動同期判定回路が、…「前記データイネーブル信号を基準信号」と判定したとき」に相当する。
　また、引用発明の「タイミング作成回路３２」が「データイネーブル信号ＥＮＡＢに基づく表示タイミングにより液晶表示パネルにおける画像データの表示タイミングを制御できるように、前記データドライバ及び前記ゲートドライバに対する制御を行な」うことは、本願発明の「表示制御部」が「前記データイネーブル信号を基準信号として、液晶表示パネルに表示データを表示させる駆動を行」なうことに相当する。
　したがって、引用発明の「前記画像データ供給源からデータイネーブル信号ＥＮＡＢが供給された場合には、前記Ｄフリップフロップ２０の出力信号ＤＥＴ１がＨレベルとなったことに基づき、前記データイネーブル信号ＥＮＡＢに基づく表示タイミングにより液晶表示パネルにおける画像データＤＡＴＡの表示タイミングを制御できるように、前記データドライバ及び前記ゲートドライバに対する制御を行な」う「タイミング作成回路３２」は、本願発明の「該自動同期判定回路が、…「前記データイネーブル信号を基準信号」と判定したときは、前記データイネーブル信号を基準信号として、前記液晶表示パネルに表示データを表示させる駆動を行う表示制御部」に相当する。
　
５−３−３　してみると、引用発明の「液晶表示装置が搭載される、種々の電子装置の画像データ供給源が供給する種々のタイミング仕様に適用できる液晶表示パネル用のタイミングコントローラ」が有する「（ｂ）…Ｄフリップフロップ２２、（ｃ）…Ｄフリップフロップ２３、（ｄ）　…ＡＮＤ回路２４、（ｅ）…擬似データイネーブル信号作成回路２５、（ｆ）…保護回路２７、（ｇ）　前記画像データ供給源から供給される画像データＤＡＴＡ、クロックＣＬＫ、データイネーブル信号ＥＮＡＢ、前記擬似データイネーブル信号作成回路２５が作成する擬似データイネーブル信号ＥＮＡＢ−Ｄ１、前記保護回路２７が出力する擬似データイネーブル信号ＥＮＡＢ−Ｄ２、前記Ｄフリップフロップ２０の出力信号ＤＥＴ１、前記ＡＮＤ回路２４の出力信号ＤＥＴ２が供給され、前記データドライバに対してデータドライバ用クロックＤ−ＣＬＫ、データドライバ用スタートパルスＤ−ＳＰ、ラッチパルスＬＰ、前記画像データＤＡＴＡを供給し、前記ゲートドライバに対してゲートドライバ用クロックＧ−ＣＬＫ、ゲートドライバ用スタートパルスＧ−ＳＰとを供給するタイミング作成回路３２」であって、「前記画像データ供給源からデータイネーブル信号ＥＮＡＢが供給された場合には、前記Ｄフリップフロップ２０の出力信号ＤＥＴ１がＨレベルとなったことに基づき、前記データイネーブル信号ＥＮＡＢに基づく表示タイミングにより液晶表示パネルにおける画像データＤＡＴＡの表示タイミングを制御できるように、前記データドライバ及び前記ゲートドライバに対する制御を行ない、　
　前記画像データ供給源からデータイネーブル信号ＥＮＡＢが供給されず、水平同期信号ＨＳＹＮＣ及び垂直同期信号ＶＳＹＮＣが供給された場合には、前記Ｄフリップフロップ２０の出力信号ＤＥＴ１がＬレベルを維持すると共に、前記ＡＮＤ回路２４の出力信号ＤＥＴ２がＨレベルとなったことに基づき、前記擬似データイネーブル信号ＥＮＡＢ−Ｄ１に基づく表示タイミングにより液晶表示パネルにおける画像データの表示タイミングを制御できるように、前記データドライバ及び前記ゲートドライバに対する制御を行な」うことは、本願発明の「該自動同期判定回路が、「前記垂直同期信号及び水平同期信号を基準信号」と判定したときは、前記垂直同期信号及び水平同期信号を基準信号として、液晶表示パネルに表示データを表示させる駆動を行い、「前記データイネーブル信号を基準信号」と判定したときは、前記データイネーブル信号を基準信号として、前記液晶表示パネルに表示データを表示させる駆動を行う表示制御部」に相当する。
　
５−４　本願発明の「前記自動同期判定回路は、前記データイネーブル信号のカウント結果に基づいて、１以上の所定数をカウントしたときは、前記データイネーブル信号を表示動作の前記基準信号と判定し、前記所定数をカウントしていない状態のときは、前記垂直同期信号及び水平同期信号を表示動作の前記基準信号と判定する前記判定信号を出力すること」と、引用発明の「（ａ）　前記画像データ供給源からデータイネーブル信号ＥＮＡＢとクロックＣＬＫを入力して前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力することで、データイネーブル信号検出器として機能するＤフリップフロップ２０」を比較する。
　本願発明の「前記自動同期判定回路は、前記データイネーブル信号のカウント結果に基づいて、１以上の所定数をカウントしたときは、前記データイネーブル信号を表示動作の前記基準信号と判定し、前記所定数をカウントしていない状態のときは、前記垂直同期信号及び水平同期信号を表示動作の前記基準信号と判定する前記判定信号を出力すること」の技術上の意味を、発明の詳細な説明の記載を参酌して検討する。
　上記「５−２−２−１」の検討により、発明の詳細な説明には、「自動同期判定回路」の「ＤＥカウンタ１０」がデータイネーブル信号（ＤＥ信号）をｎまでカウントアップしたとき、すなわちデータイネーブル信号が入力されたとき、「自動同期判定回路」の「判定器２０」は判定信号（ＤＥＳ信号）“Ｌ”を出力し、表示制御部等が、データイネーブル信号を基準信号として、液晶表示パネルに表示データを表示させる駆動を行なうことが開示されている。また、「自動同期判定回路」の「ＤＥカウンタ１０」がデータイネーブル信号（ＤＥ信号）をｎまでカウントアップしないとき、すなわちデータイネーブル信号が入力されないとき、「自動同期判定回路」の「判定器２０」は判定信号（ＤＥＳ信号）“Ｈ”を出力し、表示制御部等が、垂直同期信号（ＶＳＣ信号）、水平同期信号（ＨＳＣ信号）を基準信号として、液晶表示パネルに表示データを表示させる駆動を行なうことが開示されている。そうすると、「前記データイネーブル信号のカウント結果に基づいて、１以上の所定数をカウントしたとき」は、データイネーブル信号が入力の状態であるときを意味し、「前記所定数をカウントしていない状態のとき」は、データイネーブル信号が未入力の状態であることを意味している。また、「前記データイネーブル信号を表示動作の前記基準信号と判定」「する判定信号を出力すること」と、「前記垂直同期信号及び水平同期信号を表示動作の前記基準信号と判定する前記判定信号を出力すること」は、それぞれ、上記「５−２−２−３」、「５−２−２−５」で検討したとおりである。
　そうすると、本願発明の「前記自動同期判定回路は、前記データイネーブル信号のカウント結果に基づいて、１以上の所定数をカウントしたときは、前記データイネーブル信号を表示動作の前記基準信号と判定し、前記所定数をカウントしていない状態のときは、前記垂直同期信号及び水平同期信号を表示動作の前記基準信号と判定する前記判定信号を出力すること」と、引用発明の「（ａ）　前記画像データ供給源からデータイネーブル信号ＥＮＡＢとクロックＣＬＫを入力して前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力することで、データイネーブル信号検出器として機能するＤフリップフロップ２０」は、「前記自動同期判定回路は、前記データイネーブル信号が入力の状態であるときは、前記データイネーブル信号を表示動作の前記基準信号と判定し、前記データイネーブル信号が未入力の状態であるときは、前記垂直同期信号及び水平同期信号を表示動作の前記基準信号と判定する前記判定信号を出力すること」の点で一致する。
　　
５−５　以上のことから、本願発明と引用発明とは、　
「各種の外部回路に接続可能な汎用性のあるインターフェイスであって、前記外部回路から供給される同期信号として、垂直同期信号及び水平同期信号が入力、データイネーブル信号が未入力の状態では、前記垂直同期信号及び水平同期信号を表示動作の基準信号と判定し、前記外部回路から供給される同期信号として、前記データイネーブル信号が入力、前記垂直同期信号及び水平同期信号の一方又は双方が入力若しくは未入力の状態では、前記データイネーブル信号を表示動作の基準信号と判定する判定信号を出力する自動同期判定回路と、
　該自動同期判定回路が、「前記垂直同期信号及び水平同期信号を基準信号」と判定したときは、前記垂直同期信号及び水平同期信号を基準信号として、液晶表示パネルに表示データを表示させる駆動を行い、「前記データイネーブル信号を基準信号」と判定したときは、前記データイネーブル信号を基準信号として、前記液晶表示パネルに表示データを表示させる駆動を行う表示制御部とを有すると共に、　
　前記自動同期判定回路は、前記データイネーブル信号が入力の状態であるときは、前記データイネーブル信号を表示動作の前記基準信号と判定し、前記データイネーブル信号が未入力の状態であるときは、前記垂直同期信号及び水平同期信号を表示動作の前記基準信号と判定する前記判定信号を出力する表示装置。」の点で一致し、以下の点で相違する。　
　
相違点
　データイネーブル信号の入力状態を判定する手段として、本願発明では、「前記データイネーブル信号のカウント結果に基づいて、１以上の所定数をカウントしたとき」はデータイネーブル信号が入力されていると判定し、「前記所定数をカウントしていない状態のとき」はデータイネーブル信号が入力されていないと判定するのに対し、引用発明は、「Ｄフリップフロップ２０」が、「前記データイネーブル信号ＥＮＡＢを前記クロックＣＬＫに同期してラッチし、前記データイネーブル信号ＥＮＡＢが供給される場合はＨレベル、前記データイネーブル信号ＥＮＡＢが供給されない場合はＬレベルの出力信号ＤＥＴ１を出力する」ことで判定している点。　
　
６　判断　
６−１　相違点についての検討　
　以下、上記相違点について検討する。　
　
　一般に、信号の入力状態を判定する目的で、判定対象となる信号をカウントし、そのカウント結果に基づき判定することは周知技術であり、表示装置の技術分野においても、信号のカウント結果に基づき入力状態を判定することは周知技術である。　
（例えば、原査定の拒絶の理由に引用された特開２００３−１６７５４５号公報及び特開２００２−２７８４９３号公報を参照。　
　また、特開平１０−６９２５４号公報（同期信号の有無。特に、「【０１１０】［実施形態５］該実施形態５は、同期信号の方式を判定する判定回路である。該判定回路は、上述した実施形態１における中央処理装置１１１に代わって使用されるものである。　
【０１１１】該判定回路は、図９に示すとおり、計数回路４０１、計数値４０２、比較回路４０４および選択信号生成回路４０５からなる。　
【０１１２】計数回路４０１には、垂直同期信号１０２とコンポジット垂直同期信号１０４とＳＯＧ垂直同期信号１０６とが入力されている。該計数回路４０１は、該セパレート垂直同期信号１０２と該コンポジット垂直同期信号１０４と該ＳＯＧ垂直同期信号１０６のパルスをそれぞれ計数する。そして、その係数値４０２を比較回路４０４へ出力している。比較回路４０４は、この計数値４０２と、あらかじめ定められた値４０３とを比較する。その結果、各計数値４０２が値４０３以上であれば、当該同期信号が存在するものと判定する。」）、特開２００１−２８２１９１号公報（クロック信号の有無。図１，４及びその説明を参照。）も参照のこと。以下「周知技術」という。）　
　そうすると、引用発明において、データイネーブル信号ＥＮＡＢの有無を判定する手段として、「Ｄフリップフロップ２０」に代えて上記周知技術を採用し、上記相違点に係る本願発明の発明特定事項と為すことに格別の困難性はない。　
　そして、本願発明が奏する作用効果は、引用発明及び上記周知技術に基いて当業者が容易に予測しうる程度のものである。　
　
６−２　審判請求人の主張に対して　
　審判請求人は、平成２１年１０月２６日付け意見書及び審判請求書の請求の理由において、本願発明は、様々な入力同期信号に対応できるようにする発明であるのに対し、引用発明は、データ供給源や同期信号の異常時の処置に関する発明であるから、技術課題が相違する旨主張する。　
　しかしながら、引用発明は、引用文献に「【００１３】本発明は上記従来技術の問題点を解決し、
液晶表示装置が搭載される電子装置の種々のタイミング仕様に適用できる
　また、審判請求人は、審判請求の理由において、上記特開２００３−１６７５４５号公報及び特開２００２−２７８４９３号公報に関し、表示装置の目的が異なり上記引用発明と結びつける動機付けがない旨の主張をしているが、上記文献は、カウント結果に基づいて判定することが周知技術であることを例示するものに過ぎないから、審判請求人の上記主張も採用することはできない。　
　
６−３　判断のまとめ　
　以上のとおりであるから、本願発明は、引用発明と周知技術に基いて当業者が容易に発明をすることができたものである。　
　
７　むすび　
　本願発明は、引用発明と周知技術に基いて当業者が容易に発明をすることができたものであるから、特許法第２９条第２項の規定により特許を受けることができない。　
　したがって、本願は、その余の請求項に係る発明について検討するまでもなく拒絶すべきものである。　
　
　よって、結論のとおり審決する。